(57)【要約】【課題】毛や皮脂等が駆動源側に侵入することがなく、駆動源の故障を防止する。回転シリンダーに巻き付いたり付着している体毛や皮脂、あるいは爪に付着している体毛や皮脂を水洗いにより簡単に除去可能となる。【解決手段】手で持つことができるような把持部を有する本体ケーシング１と、開閉して毛を掴む複数の爪５を備えて、回転により毛を引き抜くための脱毛手段を有する回転シリンダー４と、回転シリンダー４を回転するための駆動源とを備えている。駆動源から回転シリンダー４に設けた歯車に駆動伝達するための歯車列により構成された駆動伝達手段の途中に駆動源側を回転シリンダー側に対して封水するための防水部材６を設ける。防水部材６が、歯車列部分において封水する第１の防水部と、歯車の軸を軸支する基台８間の分離継ぎ目を封水する第２の防水部とを一体化する。【選択図】図１
2006320756.tif 000002
【特許請求の範囲】
【請求項１】
手で持つことができるような把持部を有する本体ケーシングと、開閉して毛を掴む複数の爪を備えて、回転により毛を引き抜くための脱毛手段を有する回転シリンダーと、回転シリンダーを回転するための駆動源とを備えたものにおいて、駆動源から回転シリンダーに設けた歯車に駆動伝達するための歯車列により構成された駆動伝達手段の途中に駆動源側を回転シリンダー側に対して封水するための防水部材を設け、上記防水部材が、歯車列部分において封水する第１の防水部と、歯車の軸を軸支する基台間の分離継ぎ目を封水する第２の防水部とを一体化して成ることを特徴とする脱毛装置。
【請求項２】
防水部材が、大歯車と小歯車とからなる減速歯車部分において封水していることを特徴とする請求項１記載の脱毛装置。
【請求項３】
第１と第２の防水部は歯車の軸を軸支する一方の基台と一体に形成してあることを特徴とする請求項１記載の脱毛装置。
【請求項４】
基台に軸支した軸の両側に歯車を固定し、防水部材を該軸の両歯車間において封水するように配設してあることを特徴とする請求項１記載の脱毛装置。
【請求項５】
軸の両側に固定された歯車が、大歯車と小歯車とから成ることを特徴とする請求項４記載の脱毛装置。
【請求項６】
本体ケーシングに内蔵した歯車列部分において防水部材により封水し、回転シリンダーが本体ケーシングに対して着脱自在となっていることを特徴とする請求項１記載の脱毛装置。
【請求項７】
回転シリンダーに駆動伝達する最終段歯車の軸部分において防水部材により封水したことを特徴とする請求項１記載の脱毛装置。
【請求項８】
駆動源がモータであることを特徴とする請求項１記載の脱毛装置。
【請求項９】
駆動源であるモータ及び歯車列を内蔵した基台を本体ケーシングに内装するとともに本体ケーシングと基台の上部外周との間に第２の防水部材を介装して成ることを特徴とする請求項１記載の脱毛装置。
【請求項１０】
基台の上部に歯車列を構成する歯車の一つが位置する開口部を設け、基台内のモータと上記開口部に位置する歯車との間の駆動伝達経路の途中に防水部材を配設することを特徴とする請求項１乃至請求項９のいずれか一項に記載の脱毛装置。
【請求項１１】
基台にモータを内装するモータ内装部と歯車列を内装する歯車列内装部とを設け、モータ内装部と歯車列内装部とを仕切りにより仕切って成ることを特徴とする請求項１乃至請求項１０のいずれか一項に記載の脱毛装置。
【請求項１２】
駆動源であるモータ及び歯車列を内蔵した基台が、複数の分割された基台を組み合わせたものであることを特徴とする請求項１乃至請求項１１のいずれか一項に記載の脱毛装置。
【請求項１３】
基台がモータを内装するモータ内装用基台と、モータをカバーするためのモータカバー用基台と、モータカバー用基台の外側方において歯車列をカバーするための歯車カバー基台と、モータ内装用基台とモータカバー用基台と歯車カバー基台との上部を覆う上基台とで構成され、上記複数の基台が連結固着してあることを特徴とする請求項１２記載の脱毛装置。
【請求項１４】
モータ内装部と歯車列内装部とを仕切る仕切りがモータカバー用基台により構成してあることを特徴とする請求項１３記載の脱毛装置。
【請求項１５】
仕切りであるモータカバー用基台に歯車カバー基台の両端部を当接した状態で固着してモータカバー用基台と歯車カバー基台とにより囲まれた空所を歯車列が内装される歯車列内装部として成ることを特徴とする請求項１４記載の脱毛装置。
【請求項１６】
モータカバー用基台と歯車カバー基台とにより囲まれた空所よりなる歯車列内装部の上部を開口し、この開口と上基台に設けた開口部とを連通させて成ることを特徴とする請求項１５記載の脱毛装置。
【請求項１７】
防水部材が、減速歯車部分において封水する第１の防水部と、歯車の軸を軸支する基台間の分離継ぎ目を封水する第２の防水部とを一体化したものであり、第１の防水部が歯車に設けたボス又は歯車の軸にはめ込むための環状体よりなり、第２の防水部が基台間の分離継ぎ目に沿って帯状に連続して封水するための帯状枠体よりなることを特徴とする請求項１乃至請求項１６のいずれか一項に記載の脱毛装置。
【請求項１８】
上基台から歯車列内装部内に垂下壁を突出し、歯車カバー基台から歯車列内装部内に突出壁を突出し、垂下壁の先端部と突出壁の先端部との間に防水部材を介在させ、垂下壁と突出壁とその間に介在させた防水部材とで歯車列内装部を上基台側に設けた開口部側とモータの出力軸が位置する側とに仕切り、防水部材の環状体の孔内を歯車のボス又は歯車の軸が水密的に貫通していることを特徴とする請求項１７記載の脱毛装置。
【請求項１９】
垂下壁の下端面部を防水部材の上端面に押接し、突出壁の先端部を防水部材の側面に押接して成ることを特徴とする請求項１７記載の脱毛装置。
【請求項２０】
垂下壁の下端部に上半円状嵌め込み部を形成し、突出壁の先端部に下半円状嵌め込み部を形成し、防水部材に設けた環状体の上部を上半円状嵌め込み部にはめ込むと共に環状体の下部を下半円状嵌め込み部にはめ込んで成ることを特徴とする請求項１８記載の脱毛装置。
【請求項２１】
垂下壁の下端面部を防水部材の上端面に押接し、突出壁の先端部に上方に向けて立ち上がった立ち上がり部を設け、この立ち上がり部を防水部材の下端面に押接して成ることを特徴とする請求項１７又は請求項１９記載の脱毛装置。
【請求項２２】
横向きコ字状をしたコ字状帯部の両端部から下方に向けて縦帯状部を一体に垂下するとともに縦帯状部の下端から互いに近づく方向に下横帯状部を一体に連設して帯状枠体を構成し、帯状枠体の対向する下横帯状部の先端間に環状体を一体に連設し、垂下壁を両縦帯状部間に嵌め込んで垂下壁を両縦帯状部の内面と両下横帯状部と環状体の上面とに押接するとともに上基台の下面の開口部の周囲をコ字状帯部の上端面に押接し、突出壁の先端部を下横帯状部と環状体の下端部に押接するとともに歯車カバー基台の上端部をコ字状帯部の下面に押接し、歯車カバー基台とモータカバー用基台とで縦帯状部を挟持して成ることを特徴とする請求項１７乃至請求項２１のいずれかに記載の脱毛装置。
【請求項２３】
モータカバー用基台から仕切り用突壁を突出し、歯車カバー基台から歯車列内装部内に突出壁を突出し、仕切り用突壁の先端部と突出壁の先端部との間に防水部材を介在させ、仕切り用突壁と突出壁とその間に介在させた防水部材とで歯車列内装部を上基台側に設けた開口部側とモータの出力軸が位置する側とに仕切り、防水部材の環状体の孔内を歯車のボス又は歯車の軸が水密的に貫通していることを特徴とする請求項１７記載の脱毛装置。
【請求項２４】
仕切り用突壁の先端部を上方に向けて突出させて縦仕切り部とし、突出壁の先端部を下方に向けて垂下して縦仕切り部とし、両縦仕切り部間に防水部材の環状体を介在させて成ることを特徴とする請求項２３記載の脱毛装置。
【請求項２５】
モータ内装部内に内装したモータの出力軸を歯車列内装部内に突入させ、出力軸にピニオンを固着し、大歯車と小歯車とを有する第１の減速歯車の大歯車を噛み合わせ、第１の減速歯車の小歯車に大歯車と小歯車とを有する第２の減速歯車の大歯車を噛み合わせ、第２の減速歯車の大歯車と小歯車との間の部分のボスに防水部材の環状体を嵌め込んで成ることを特徴とする請求項２又は請求項１７乃至請求項２４のいずれかに記載の脱毛装置。
【請求項２６】
モータ内装部内に内装したモータの出力軸を歯車列内装部内に突入させ、出力軸にピニオンを固着し、大歯車と小歯車とを有する第１の減速歯車の大歯車を噛み合わせ、軸の両側に大歯車と小歯車とを固着して第２の減速歯車を構成し、第１の減速歯車の小歯車に第２の減速歯車の大歯車を噛み合わせ、第２の減速歯車の軸の大歯車と小歯車との間の部分に防水部材の環状体を嵌め込んでなることを特徴とする請求項４又は請求項５又は請求項１７乃至請求項２４のいずれかに記載の脱毛装置。
【請求項２７】
上基台の開口部内に第２の減速歯車の小歯車に噛み合う出力用歯車を配置して成ることを特徴とする請求項２５又は請求項２６記載の脱毛装置。
【請求項２８】
第１の減速歯車の軸及び第２の減速歯車の軸の両端部がそれぞれモータカバー用基台と歯車カバー基台とに回転自在に軸支してあることを特徴とする請求項２５又は請求項２６記載の脱毛装置。
【請求項２９】
出力用歯車の軸の両端部が上基台の開口部の両内壁部に支持してあることを特徴とする請求項２７記載の脱毛装置。
【請求項３０】
回転シリンダーを設けた脱毛ヘッドを本体ケーシングに対して着脱自在に取付け、脱毛ヘッドに回転シリンダーを駆動するための駆動用歯車を設け、回転シリンダーに本体ケーシングを取付けた状態で駆動用歯車を出力用歯車に着脱自在に噛合させて成ることを特徴とする請求項６又は請求項２７記載の脱毛装置。
【請求項３１】
脱毛ヘッドの下面部に駆動用歯車を露出させ、この脱毛ヘッドの下面に本体ケーシングに着脱自在に取付けるためのフックを設け、該フックを駆動用歯車の露出位置よりも突出させて成ることを特徴とする請求項３０記載の脱毛装置。
【請求項３２】
本体ケーシングの上面部を構成する上基台の上面部に脱毛ヘッドの下面部のフックを着脱自在に取付けるためのフック取付け部を設け、上基台の開口部に配置した出力用歯車の露出位置よりもフック取付け部を突出させて成ることを特徴とする請求項３０記載の脱毛装置。
【請求項３３】
フック取付け部にフックとの係止を解除するための操作部を設け、この操作部を本体ケーシングに設けた孔より外方に突出させて成ることを特徴とする請求項３２記載の脱毛装置。
【請求項３４】
上方が開口した本体ケーシングに基台を内装すると共に本体ケーシングと基台の上部外周との間に第２の防水部材を介装し、第２の防水部材による封水位置よりも本体ケーシングの上端開口よりにずれた位置に操作部を突出させる孔を形成して成ることを特徴とする請求項３３記載の脱毛装置。
【請求項３５】
モータ内装用基台の上部の一端部と上基台の一端部とが係止手段により係止され、且つモータ用内装基台の下部の他端部とモータカバー用基台の下端部と歯車カバー基台の下端部とが共通のねじ具により固着され、且つ歯車カバー基台の上部が上基台の他端部にねじ具により固着してあることを特徴とする請求項１３記載の脱毛装置。
【請求項３６】
係止手段による係止位置及び上下のねじ具による固着位置がいずれも第２の防水部材による封水位置よりも本体ケーシング内に位置させてあることを特徴とする請求項３５記載の脱毛装置。
【請求項３７】
本体ケーシングが縦に２つ割りされた半割ケーシングを合着させて構成してあり、両半割ケーシングの合わせ部分に第３の防水部材を介在させて成ることを特徴とする請求項９記載の脱毛装置。
【請求項３８】
本体ケーシングの内面部の上部と上基台の外周面部にそれぞれ対向して第２の防水部材嵌め込み溝を形成し、対向する第２の防水部材嵌め込み溝に第２の防水部材の外側半部と内側半部とを嵌め込んで成ることを特徴とする請求項９記載の脱毛装置。
【請求項３９】
半割ケーシングの合わせ部分に第３の防水部材嵌め込み溝部を形成し、前後に対向する半割ケーシングの第３の防水部材溝嵌め込み溝部に第３の防水部材の前側半部と後側半部とを嵌め込んで成ることを特徴とする請求項３７記載の脱毛装置。
【請求項４０】
本体ケーシングの内面部の上部と上基台の外周面部にそれぞれ対向して第２の防水部材嵌め込み溝を形成し、対向する第２の防水部材嵌め込み溝に第２の防水部材の外側半部と内側半部とを嵌め込み、半割ケーシングの合わせ部分に第３の防水部材嵌め込み溝部を形成し、前後に対向する半割ケーシングの第３の防水部材溝嵌め込み溝部に第３の防水部材の前側半部と後側半部とを嵌め込み、第３の防水部材嵌め込み溝部の端部を第２の防水部材嵌め込み溝部に連通させ、第３の防水部材嵌め込み溝部に嵌め込んだ第３の防水部材の端部を第２の防水部材嵌め込み溝部に嵌め込んだ第２の防水部材の下面部に押接して成ることを特徴とする請求項３７記載の脱毛装置。
【請求項４１】
基台がモータを内装するモータ内装用基台と、モータをカバーするためのモータカバー用基台と、モータカバー用基台の外側方において歯車列をカバーするための歯車カバー基台とで構成され、上記複数の基台が連結固着され、モータ内装用基台のモータカバー用基台の取付け側と反対側の上部から上方に突出した突出支持部と、歯車カバー基台の上部から上方に突出した突出支持部とで回転シリンダーを回転自在に支持して成ることを特徴とする請求項１２記載の脱毛装置。
【請求項４２】
モータカバー用基台から上方に向けて立設した縦仕切り部と、歯車カバー基台から下方に向けて垂設した縦仕切り部と、両縦仕切り部の先端間に介在された防水部材により構成される縦仕切り部で歯車列を内装した空所を仕切り、モータ収納用基台の上部の他端部と縦仕切り部とに囲まれた部分を開口部とし、防水部材に設けた環状体の孔内を水密的に軸を貫通させ、この軸に縦仕切り部を介して両側にそれぞれ歯車を固着し、一方の歯車をモータ側に位置させてモータからの回転が伝達される入力側歯車とし、他方の歯車を開口部内に位置させて出力用歯車として成ることを特徴とする請求項２４又は請求項４１記載の脱毛装置。
【請求項４３】
出力用歯車を回転シリンダーに設けた歯車に噛合して成ることを特徴とする請求項７又は請求項４２記載の脱毛装置。
【請求項４４】
第１と第２の防水部よりなる防水部材を歯車カバー基台に一体に形成して成ることを特徴とする請求項３又は請求項１３又は請求項４１記載の脱毛装置。
【発明の詳細な説明】
【技術分野】
【０００１】
本発明は、美容などの目的のために体毛を除去するのに使用される脱毛装置に関するものである。
【背景技術】
【０００２】
従来から、美容などの目的のために体毛を除去するのに使用される脱毛装置として特許文献１が知られている。この特開平９−３０８５２１号公報に示された従来例は、図１６、図１７に示されるようなもので、モータ３を回転してベルト５６を介して複数の円板を備えたローラユニット５１を回転し、ローラユニット５１を回転しながら円板で体毛を挟んで引き抜くようになっており、また、ケーシング５２内に剛毛のブラシからなる清掃エレメント５３を設け、体毛を掴んで抜く円板に溜まっている体毛を掃除エレメントにより除去し、体毛を仕切りに落とすようにしており、落とした体毛はカバー５４を外すことで除去するようになっている。
【０００３】
ところが、上記の従来例にあっては、剛毛ブラシからなる清掃エレメント５３により円板に溜まった体毛を除去するようにしているが、体毛の除去が十分ではなく、また、皮脂の除去が不十分であるという問題があった。
【０００４】
しかも、図１６のように、モータ３の回転をベルト５６を介してローラユニット５１に伝達しており、このベルト５６を配置した部分にはローラユニット５１とモータ３との間に隙間５５が生じており、この隙間５５部分からモータ３側に体毛や皮脂が侵入してしまうという問題があり、更に、このようにローラユニット５１とモータ３との間に隙間５５が生じるため、体毛や皮脂が付着したローラユニット５１部分の水洗いもできないという問題があった。
【特許文献１】特開平９−３０８５２１号公報
【発明の開示】
【発明が解決しようとする課題】
【０００５】
本発明は上記の従来の問題点に鑑みて発明したものであり、体毛や皮脂等が駆動源側に侵入することがなくて、駆動源の故障を防止することができ、また、回転シリンダーに巻き付いたり付着している体毛や皮脂、あるいは爪に付着している体毛や皮脂を水洗いにより簡単に除去することが可能な脱毛装置を提供することを課題とするものである。
【課題を解決するための手段】
【０００６】
上記課題を解決するために本発明に係る脱毛装置は、手で持つことができるような把持部を有する本体ケーシング１と、開閉して毛を掴む複数の爪５を備えて、回転により毛を引き抜くための脱毛手段を有する回転シリンダー４と、回転シリンダー４を回転するための駆動源とを備えたものにおいて、駆動源から回転シリンダー４に設けた歯車に駆動伝達するための歯車列により構成された駆動伝達手段の途中に駆動源側を回転シリンダー側に対して封水するための防水部材６を設け、上記防水部材６が、歯車列部分において封水する第１の防水部と、歯車の軸を軸支する基台８間の分離継ぎ目を封水する第２の防水部とを一体化して成ることを特徴とするものである。このような構成とすることで、体毛や皮脂が駆動源側に侵入するのを防水部材６により防止することができ、また、回転シリンダー４や爪５を水洗いすることで、回転シリンダー４に巻き付いたり付着している毛（ここで毛とは引き抜かれた体毛、あるいは引き抜き時にちぎれた毛等のことをいう）や皮脂、あるいは爪５に付着している毛や皮脂を簡単に除去することができ、この場合も防水部材６により水が駆動源側に浸入するのを防止することができて、水洗いをしても支障がないものである。また、従来のように回転シリンダー４を回転するに当たってベルトにより駆動を伝達するものに比べて、回転シリンダー４に設けた歯車に駆動を伝達する歯車列部分に防水部材６を設けて防水することで、簡単な構成で防水することが可能となり、更に、防水部材６が、歯車列部分において封水する第１の防水部と、歯車の軸を軸支する基台８間の分離継ぎ目を封水する第２の防水部とを一体化してあるので、歯車列の途中において駆動源側を回転シリンダー４側に対して封水するに当たり、単一の防水部材６により減速歯車部分だけでなく歯車の軸を軸支する基台８間の分離継ぎ目部分も封水することができることになる。
【０００７】
また、防水部材６が、大歯車と小歯車とからなる減速歯車部分において封水することが好ましい。このような構成とすることで、減速歯車を大歯車と小歯車とで構成することで、コンパクト化が図れ、また、減速歯車の大歯車と小歯車との間に防水部材６を介在させることで、簡単な構成で歯車列の途中において駆動源側を回転シリンダー４側に対して封水することができるものである。
【０００８】
また、第１と第２の防水部は歯車の軸を軸支する一方の基台８と一体に形成してあることが好ましい。このように防水部材６と一方の基台８とを一体化することで部材点数を削減することができるものである。
【０００９】
また、基台８に軸支した軸の両側に歯車を固定し、防水部材６を該軸の両歯車間において封水するように配設してあることが好ましい。このような構成とすることで、減速歯車の軸の両側に固定した歯車間の軸部分において防水部材６により封水するという簡単な構成で、駆動源側を回転シリンダー４側に対して封水することができるものである。
【００１０】
また、軸の両側に固定された歯車が、大歯車と小歯車とからなることが好ましい。このような構成とすることで、軸の両側に固定された大歯車と小歯車とが減速歯車を構成することになってコンパクト化が図れ、また、簡単な構成で減速歯車を構成して大歯車と小歯車との間に防水部材６を介在させることができるものである。
【００１１】
また、本体ケーシング１に内蔵した歯車列部分において防水部材６により封水し、回転シリンダー４が本体ケーシング１に対して着脱自在となっていることが好ましい。このような構成とすることで、回転シリンダー４を本体ケーシング１から外して掃除することができて本体ケーシング１側のギア列の一部を掃除することが可能となり、また、回転シリンダー４を外して回転シリンダー４側のみ水洗いするということも可能となるものである。
【００１２】
また、回転シリンダー４に駆動伝達する最終段歯車の軸部分において防水部材６により封水したことが好ましい。このような構成とすることで、毛や皮脂がギア列を配置した部分の内部に侵入するのを防止し、この結果、掃除に当たっては主として回転シリンダー４側を掃除すればよく、また、水洗いで簡単に毛や皮脂を落とすことができるものである。
【００１３】
また、駆動源がモータ３であることが好ましい。そして、駆動源であるモータ３及び歯車列を内蔵した基台８を本体ケーシング１に内装するとともに本体ケーシング１と基台８の上部外周との間に第２の防水部材２３を介装してあることが好ましい。このような構成とすることで、第２の防水部材２３により本体ケーシング１と基台との間から毛や皮脂が侵入するのを防止できて、また、水洗いした際にも本体ケーシング１と基台８との間から水が内部に浸入するのを防止でき、この結果、モータ３及び歯車列を内蔵した基台８を上部のみが本体ケーシング１と第２の防水部材２３を介して水封できる構造とすればよくて、基台８の上部以外の部分の構造を簡略化できることになる。
【００１４】
また、基台の上部に歯車列を構成する歯車の一つが位置する開口部１５ｂを設け、基台内のモータ３と上記開口部１５ｂに位置する歯車との間の駆動伝達経路の途中に防水部材６を配設することが好ましい。このような構成とすることで、モータ３と基台８の開口部１５ｂとの間において防水部材６によりモータ３側に毛や皮脂や水等が入らない構造とすることができるものである。
【００１５】
また、基台８にモータ３を内装するモータ内装部１２ａと歯車列を内装する歯車列内装部１６とを設け、モータ内装部１２ａと歯車列内装部１６とを仕切りにより仕切ってあることが好ましい。このような構成とすることで、仕切りにより歯車列側からモータ３側に毛や皮脂や水等が入らないようにすることができるものである。
【００１６】
また、駆動源であるモータ３及び歯車列を内蔵した基台８が、複数の分割された基台８を組み合わせたものであることが好ましい。このような構成とすることで、基台８への駆動源の組み込みや歯車列の組み込みを簡単に行うことができるものである。
【００１７】
また、基台８がモータ３を内装するモータ内装用基台１２と、モータ３をカバーするためのモータカバー用基台１３と、モータカバー用基台１３の外側方において歯車列をカバーするための歯車カバー基台１４と、モータ内装用基台１２とモータカバー用基台１３と歯車カバー基台１４との上部を覆う上基台１５とで構成され、上記複数の基台８が連結固着してあることが好ましい。このような構成とすることで、モータ３をモータ内装用基台１２に内装し、モータ３をモータカバー用基台１３によりカバーし、更に、歯車列をモータカバー用基台１３と歯車カバー基台１４との間に取付けて歯車カバー基台１４によりカバーするというようにして簡単にモータ３、歯車列を組み込むことができるものである。そして、上基台１５を設けることで、本体ケーシング１と第２の防水部材２３により封水する部分が上基台１５という一つの部材の外周部において行えばよくて、本体ケーシング１との封水が簡略化できることになる。
【００１８】
また、モータ内装部１２ａと歯車列内装部１６とを仕切る仕切りがモータカバー用基台１３により構成してあることが好ましい。このような構成とすることで、３部材に分割された基台の一つであるモータカバー用基台１３が仕切りを兼ねることになって構造が簡略化できるものである。
【００１９】
また、仕切りであるモータカバー用基台１３に歯車カバー基台１４の両端部を当接した状態で固着してモータカバー用基台１３と歯車カバー基台１４とにより囲まれた空所を歯車列が内装される歯車列内装部１６としてあることが好ましい。このような構成とすることで、歯車列内装部１６に歯車列を内装し、この歯車列の途中に防水部材６を設けて防水部材６によりモータ３側を封水するに当たり、防水部材６部分で仕切る歯車列内装部１６の周囲がモータカバー用基台１３と歯車カバー基台１４とで囲まれて封水されることになって、封水構造が簡略化するものである。
【００２０】
また、モータカバー用基台１３と歯車カバー基台１４とにより囲まれた空所よりなる歯車列内装部１６の上部を開口し、この開口と上基台１５に設けた開口部１５ｂとを連通させることが好ましい。このような構成とすることで、歯車列内装部１６に内装した歯車列の一部を上基台１５の開口部１５ｂに位置させることができるものである。
【００２１】
また、防水部材６が、減速歯車部分において封水する第１の防水部と、歯車の軸を軸支する基台間の分離継ぎ目を封水する第２の防水部とを一体化したものであり、第１の防水部が歯車に設けたボス又は歯車の軸にはめ込むための環状体６ａよりなり、第２の防水部が基台８間の分離継ぎ目に沿って帯状に連続して封水するための帯状枠体６ｂよりなることが好ましい。このような構成とすることで、環状体６ａを歯車に設けたボス又は歯車の軸にはめ込むことで、歯車列の途中で封水することができ、また、帯状枠体６ｂを介して分割した基台８間の分離継ぎ目部分を封水することができ、この歯車列の途中における封水と基台８間の分離継ぎ目部分の封水とが一つの防水部材６により連続して行えることになる。
【００２２】
また、上基台１５から歯車列内装部１６内に垂下壁を突出し、歯車カバー基台１４から歯車列内装部１６内に突出壁１４ａを突出し、垂下壁１５ｄの先端部と突出壁１４ａの先端部との間に防水部材６を介在させ、垂下壁１５ｄと突出壁１４ａとその間に介在させた防水部材６とで歯車列内装部１６を上基台１５側に設けた開口部側とモータ３の出力軸が位置する側とに仕切り、防水部材６の環状体の孔内を歯車のボス又は歯車の軸が水密的に貫通していることが好ましい。このような構成とすることで、簡単な構成で歯車列内装部１６内を防水部材６を介して歯車のボス又は歯車の軸部分で開口部１５ｂ側とモータ３側とに封水構造により仕切ることができるものである。
【００２３】
また、垂下壁１５ｄの下端面部を防水部材６の上端面に押接し、突出壁１４ａの先端部を防水部材６の側面に押接することが好ましい。このような構成とすることで、防水部材６を介して垂下壁１５ｄと突出壁１４ａとの間が密閉されて簡単に歯車列内装部１６内を防水部材６を介して歯車のボス又は歯車の軸部分で開口部１５ｂ側とモータ３側とに封水構造により仕切ることができるものである。
【００２４】
また、垂下壁１５ｄの下端部に上半円状嵌め込み部１５ｅを形成し、突出壁１４ａの先端部に下半円状嵌め込み部１４ｃを形成し、防水部材６に設けた環状体６ａの上部を上半円状嵌め込み部１５ｅにはめ込むと共に環状体６ａの下部を下半円状嵌め込み部１４ｃにはめ込むことが好ましい。このような構成とすることで、防水部材６に設けた環状体６ａの位置決めが確実になされるとともに環状体６ａと垂下壁１５ｄ、突出壁１４ａとの封水が簡単にできることになる。
【００２５】
また、垂下壁１５ｄの下端面部を防水部材６の上端面に押接し、突出壁１４ａの先端部に上方に向けて立ち上がった立ち上がり部１４ｂを設け、この立ち上がり部１４ｂを防水部材６の下端面に押接することが好ましい。このような構成とすることで、防水部材６が垂下壁１５ｄと立ち上がり部１４ｂとで上下から挟持されて確実な封水ができるとともに、防水部材６の取付けが確実に行えるものである。
【００２６】
また、横向きコ字状をしたコ字状帯部６ｃの両端部から下方に向けて縦帯状部６ｄを一体に垂下するとともに縦帯状部６ｄの下端から互いに近づく方向に下横帯状部６ｅを一体に連設して帯状枠体を構成し、帯状枠体の対向する下横帯状部６ｅの先端間に環状体６ａを一体に連設し、垂下壁１５ｄを両縦帯状部６ｄ間に嵌め込んで垂下壁１５ｄを両縦帯状部６ｄの内面と両下横帯状部６ｅと環状体６ａの上面とに押接するとともに上基台１５の下面の開口部の周囲をコ字状帯部６ｃの上端面に押接し、突出壁１４ａの先端部を下横帯状部６ｅと環状体６ａの下端部に押接するとともに歯車カバー基台１４の上端部をコ字状帯部６ｃの下面に押接し、歯車カバー基台１４とモータカバー用基台１３とで縦帯状部６ｄを挟持してあることが好ましい。このような構成とすることで、簡単な構成で防水部材６を上基台１５と歯車カバー基台１４とモータカバー用基台１３との３つに分割した基台８の継ぎ目部分に沿って位置させて防水部材６が３つの基台により確実に支持して各基台８同士の継ぎ目部分の封水を行うことができるものである。
【００２７】
また、モータカバー用基台１３から仕切り用突壁１３ｅを突出し、歯車カバー基台１４から歯車列内装部１６内に突出壁１４ａを突出し、仕切り用突壁１３ｅの先端部と突出壁１４ａの先端部との間に防水部材６を介在させ、仕切り用突壁と突出壁１４ａとその間に介在させた防水部材６とで歯車列内装部１６を上基台１５側に設けた開口部側とモータ３の出力軸が位置する側とに仕切り、防水部材６の環状体６ａの孔内を歯車のボス又は歯車の軸が水密的に貫通していることが好ましい。このような構成とすることで、簡単な構成で歯車列内装部１６内を防水部材６を介して歯車のボス又は歯車の軸部分で開口部１５ｂ側とモータ３側とに封水構造により仕切ることができるものである。
【００２８】
また、仕切り用突壁１３ｅの先端部を上方に向けて突出させて縦仕切り部１３ｄとし、突出壁１４ａの先端部を下方に向けて垂下して縦仕切り部１４ｊとし、両縦仕切り部１３ｄ、１４ｊ間に防水部材６の環状体６ａを介在させることが好ましい。このような構成とすることで、縦仕切り部１３ｄと縦仕切り部１４ｊとで上下より防水部材６の環状体６ａを挟持して封水構造とすることができるものである。
【００２９】
また、モータ内装部１２ａ内に内装したモータ３の出力軸３ａを歯車列内装部１６内に突入させ、出力軸３ａにピニオン１７を固着し、大歯車と小歯車とを有する第１の減速歯車の大歯車を噛み合わせ、第１の減速歯車の小歯車に大歯車と小歯車とを有する第２の減速歯車の大歯車を噛み合わせ、第２の減速歯車の大歯車と小歯車との間の部分のボスに防水部材６の環状体６ａを嵌め込むことが好ましい。このような構成とすることで、複数の減速歯車のうち回転シリンダー４に近い方の減速歯車部分において防水部材６を取付けて封水することができ、モータ３に近い側の減速歯車側に毛や皮脂や水が入らないようにできるものである。
【００３０】
また、モータ内装部１２ａ内に内装したモータ３の出力軸３ａを歯車列内装部１６内に突入させ、出力軸にピニオン１７を固着し、大歯車と小歯車とを有する第１の減速歯車の大歯車を噛み合わせ、軸の両側に大歯車と小歯車とを固着して第２の減速歯車を構成し、第１の減速歯車の小歯車に第２の減速歯車の大歯車を噛み合わせ、第２の減速歯車の軸の大歯車と小歯車との間の部分に防水部材６の環状体６ａを嵌め込むことが好ましい。このような構成とすることで、複数の減速歯車のうち回転シリンダー４に近い方の減速歯車部分において防水部材６を取付けて封水することができ、モータ３に近い側の減速歯車側に毛や皮脂や水が入らないようにできるものである。
【００３１】
また、上基台１５の開口部内に第２の減速歯車の小歯車に噛み合う出力用歯車２０を配置することが好ましい。このような構成とすることで、簡単な構成で、基台側に設けた歯車列からの出力を本体ケーシング１に対して外周部を第２の防水部材２３により封水した上基台１５の開口部において行うことができるものである。
【００３２】
また、第１の減速歯車の軸及び第２の減速歯車の軸の両端部がそれぞれモータカバー用基台１３と歯車カバー基台１４とに回転自在に軸支してあることが好ましい。このような構成とすることで、第１の減速歯車、第２の減速歯車を基台８に組み込んで支持するのが簡単に行えるものである。
【００３３】
また、出力用歯車２０の軸の両端部が上基台１５の開口部１５ｂの両内壁部に支持してあることが好ましい。このような構成とすることで出力用歯車を開口部に取付けた上基台１５を第２の減速歯車を組み込んだモータカバー用基台１３と歯車カバー基台１４との上部に取付けることで、簡単に第２の減速歯車と出力用歯車２０とを噛み合わせて歯車列を組み立てることができるものである。
【００３４】
また、回転シリンダー４を設けた脱毛ヘッド２を本体ケーシング１に対して着脱自在に取付け、脱毛ヘッド２に回転シリンダー４を駆動するための駆動用歯車４０を設け、回転シリンダー４に本体ケーシング１を取付けた状態で駆動用歯車４０を出力用歯車２０に着脱自在に噛合させることが好ましい。このような構成とすることで、回転シリンダー４を設けた脱毛ヘッド２を本体ケーシング１に着脱するに当たり、簡単な構成で回転シリンダー４にモータ３の回転を伝達して回転シリンダー４を回転することができ、しかも、掃除に当たっては、脱毛ヘッド２を外すことで、隅々まで掃除ができ、また、水洗いする際にも脱毛ヘッド２を外して脱毛ヘッド２側のみを水洗いするということも可能となるものである。
【００３５】
また、脱毛ヘッド２の下面部に駆動用歯車４０を露出させ、この脱毛ヘッド２の下面に本体ケーシング１に着脱自在に取付けるためのフック１１を設け、該フック１１を駆動用歯車４０の露出位置よりも突出させることが好ましい。このような構成とすることで、脱毛ヘッド２を外した場合、駆動用歯車４０がフックよりも内側に位置することになって、駆動用歯車４０が他の物に当たって破損したりするのを防止することができるものである。
【００３６】
また、本体ケーシング１の上面部を構成する上基台１５の上面部に脱毛ヘッド２の下面部のフック１１を着脱自在に取付けるためのフック取付け部１０を設け、上基台１５の開口部１５ｂに配置した出力用歯車２０の露出位置よりもフック取付け部１０を突出させることが好ましい。このような構成とすることで、脱毛ヘッド２を外した場合、出力用歯車２０がフック取付け部１０よりも内側に位置することになって、出力用歯車２０が他の物に当たって破損したりするのを防止することができるものである。
【００３７】
また、フック取付け部１０にフック１１との係止を解除するための操作部２６ａを設け、この操作部２６ａを本体ケーシング１に設けた孔より外方に突出させることが好ましい。このような構成とすることで、本体ケーシング１の孔から外方に突出した操作部２６ａを操作することで簡単にフック取付け部１０とフック１１との係止を解除することができるものである。
【００３８】
また、上方が開口した本体ケーシング１に基台を内装すると共に本体ケーシング１と基台８の上部外周との間に第２の防水部材２３を介装し、第２の防水部材２３による封水位置よりも本体ケーシング１の上端開口よりにずれた位置に操作部２６ａを突出させる孔を形成することが好ましい。このような構成とすることで、操作部２６ａを突出させる孔から本体ケーシング１内に毛や皮脂や水が入っても、この毛や皮脂や水が本体ケーシング１のモータ３を内装した部分には入らないものである。
【００３９】
また、モータ内装用基台１２の上部の一端部と上基台１５の一端部とが係止手段により係止され、且つモータ３用内装基台の下部の他端部とモータカバー用基台１３の下端部と歯車カバー基台１４の下端部とが共通のねじ具２１により固着され、且つ歯車カバー基台１４の上部が上基台１５の他端部にねじ具２１により固着してあることが好ましい。このような構成とすることで、３分割されたモータ内装用基台１２とモータカバー用基台１３と歯車カバー基台１４とを簡単に組立固着することができるものである。
【００４０】
また、係止手段による係止位置及び上下のねじ具２１による固着位置がいずれも第２の防水部材２３による封水位置よりも本体ケーシング１内に位置させることが好ましい。このように分割されたモータ内装用基台１２とモータカバー用基台１３と歯車カバーとの組立固着位置が第２の防水部材２３よりも本体ケーシング１内にあることで、係止や固着部分からの毛や皮脂や水の侵入防止を考慮する必要がなくて分割された基台８の組立固着の構造が簡略化するものである。
【００４１】
また、本体ケーシング１が縦に２つ割りされた半割ケーシング７を合着させて構成してあり、両半割ケーシング７の合わせ部分に第２の防水部材２３を介在させることが好ましい。このように本体ケーシング１を半割ケーシング７を合着させて構成することで、内部への基台等の組み込みが容易に行え、また、２つ割りされた構成であるにもかかわらず、第２の防水部材２３を介在することで、半割ケーシング７の合わせ部分から本体ケーシング１の内部に毛や皮脂や水が侵入するのが確実に防止できるものである。
【００４２】
また、本体ケーシング１の内面部の上部と上基台１５の外周面部にそれぞれ対向して第２の防水部材嵌め込み溝７ａ、１５ａを形成し、対向する第２の防水部材嵌め込み溝７ａ、１５ａに第２の防水部材２３の外側半部と内側半部とを嵌め込むことが好ましい。このような構成とすることで、本体ケーシング１の内面部と上基台１５の外周面部とを第２の防水部材２３で水封するに当たって、第２の防水部材２３を本体ケーシング１及び上基台１５に対して位置決めした状態で取付けることができ、これにより、本体ケーシング１に対して基台８を第２の防水部材２３を介して位置決め支持することができるものであって、基台８に内蔵したモータ３の振動が第２の防水部材２３により減衰されて本体ケーシング１側に伝わりにくい構成にできるものである。
【００４３】
また、半割ケーシング７の合わせ部分に第３の防水部材嵌め込み溝部７ｂを形成し、前後に対向する半割ケーシング７の第２の防水部材嵌め込み溝部７ａに第２の防水部材２３の前側半部と後側半部とを嵌め込むことが好ましい。このような構成とすることで、半割ケーシング７の所定の位置に第２の防水部材２３を位置決めでき、このように位置決めされた第２の防水部材２３を介して半割ケーシング７同士を正確な位置関係で位置合わせすることができるものである。
【００４４】
また、本体ケーシング１の内面部の上部と上基台１５の外周面部にそれぞれ対向して第２の防水部材嵌め込み溝１５ａ、７ａを形成し、対向する第２の防水部材嵌め込み溝１５ａ、７ａに第２の防水部材２３の外側半部と内側半部とを嵌め込み、半割ケーシング７の合わせ部分に第３の防水部材嵌め込み溝部７ｂを形成し、前後に対向する半割ケーシング７の第２の防水部材溝嵌め込み溝部７ａに第２の防水部材２３の前側半部と後側半部とを嵌め込み、第３の防水部材嵌め込み溝部７ｂの端部を第２の防水部材嵌め込み溝部７ａに連通させ、第２の防水部材嵌め込み溝部７ａに嵌め込んだ第２の防水部材２３の端部を第２の防水部材嵌め込み溝部７ａに嵌め込んだ第２の防水部材２３の下面部に押接することが好ましい。このような構成とすることで、第２の防水部材２３と第３の防水部材２２とで半割ケーシング７の合わせ部分及び本体ケーシング１の内周部と上基台１５の外周面部との間の部分を連続して封水することができることになる。
【００４５】
また、基台８がモータ３を内装するモータ内装用基台１２と、モータ３をカバーするためのモータカバー用基台１３と、モータカバー用基台１３の外側方において歯車列をカバーするための歯車カバー基台１４とで構成され、上記複数の基台が連結固着され、モータ内装用基台１２のモータカバー用基台１３の取付け側と反対側の上部から上方に突出した突出支持部と、歯車カバー基台１４の上部から上方に突出した突出支持部とで回転シリンダー４を回転自在に支持することが好ましい。このような構成とすることで、簡単な構成でモータ３、歯車列を内装し、回転シリンダー４を回転自在に支持する基台を構成でき、この基台を複数の基台に分割することでモータ３、歯車列、回転シリンダー４の組み込みが容易に行えることになる。
【００４６】
また、モータカバー用基台１３から上方に向けて立設した縦仕切り部と、歯車カバー基台１４から下方に向けて垂設した縦仕切り部と、両縦仕切り部の先端間に介在された防水部材６により構成される縦仕切り部で歯車列を内装した空所を仕切り、モータ３収納用基台の上部の他端部と縦仕切り部とに囲まれた部分を開口部とし、防水部材６に設けた環状体６ａの孔内を水密的に軸を貫通させ、この軸に縦仕切り部を介して両側にそれぞれ歯車を固着し、一方の歯車をモータ３側に位置させてモータ３からの回転が伝達される入力側歯車４４とし、他方の歯車を開口部内に位置させて出力用歯車２０とすることが好ましい。このような構成とすることで、縦仕切り部で歯車列の途中を水密的に仕切ることで縦仕切りより内側に毛や皮脂や水が入らないようにでき、また、縦仕切り部を介して両側に位置する歯車のうち他方側が開口部内に位置して出力用歯車２０となっていることで、開口部部分に位置する出力用歯車２０よりもモータ３側の歯車列に毛や皮脂や水が入ることがなく、開口部に位置する出力用歯車２０のみを掃除すればよくて、掃除が容易となるものである。
【００４７】
また、出力用歯車２０を回転シリンダー４に設けた歯車に噛合することが好ましい。このような構成とすることで、脱毛ヘッド２側においては回転シリンダー４に設けた歯車以外には歯車がなく、脱毛ヘッド２側の掃除が簡単に行えるものである。
【００４８】
また、第１と第２の防水部よりなる防水部材６を歯車カバー基台１４に一体に形成することが好ましい。このように、防水部材６と歯車カバー基台１４とを一体化することで部材点数を削減することができ、また、歯車カバー基台１４を組み込むことで同時に防水部材６の組み込みができるものである。
【発明の効果】
【００４９】
上記のように本発明の請求項１記載の発明にあっては、手で持つことができるような把持部を有する本体ケーシングと、開閉して毛を掴む複数の爪を備えて、回転により毛を引き抜くための脱毛手段を有する回転シリンダーと、回転シリンダーを回転するための駆動源とを備えたものにおいて、駆動源から回転シリンダーに駆動伝達するための駆動伝達手段の途中に駆動源側を回転シリンダー側に対して封水するための防水部材を設けてあるので、防水部材によって体毛や皮脂が駆動源側に入らないようにでき、この結果、毛や皮脂の掃除が簡単にでき、また、水洗いしてもモータ側に水が浸入しないので水洗いが可能で、ブラシだけでは掃除しにくいところでも水洗いにより容易に除去することができて、簡単に脱毛装置を清潔な状態とすることができる。しかも、駆動源から回転シリンダーに設けた歯車に駆動伝達するための歯車列により構成された駆動伝達手段の途中に駆動源側を回転シリンダー側に対して封水するための防水部材を設けてあるので、従来のベルトにより駆動を伝達するものに比べて、歯車列により駆動を伝達するので、回転シリンダーに設けた歯車に駆動を伝達する歯車列部分に防水部材を設けて防水するという簡単な構成で防水することができて構造が簡略化するものであり、また、防水部材が、歯車列部分において封水する第１の防水部と、歯車の軸を軸支する基台間の分離継ぎ目を封水する第２の防水部とを一体化してあるので、歯車列の途中において駆動源側を回転シリンダー側に対して封水するに当たり、単一の防水部材により減速歯車部分だけでなく歯車の軸を軸支する基台間の分離継ぎ目部分も封水することができ、部品点数が少なくなって安価な防水構造とすることができ、また、部材の組み立ても簡単となるものである。
【００５０】
また、請求項２記載の発明にあっては、上記請求項１記載の発明の効果に加えて、防水部材が、大歯車と小歯車とからなる減速歯車部分において封水しているので、減速歯車を大歯車と小歯車とで構成することで、コンパクト化が図れ、また、減速歯車の大歯車と小歯車との間に防水部材を介在させることで、簡単な構成で歯車列の途中において防水することができるものである。
【００５１】
また、請求項３記載の発明にあっては、上記請求項１記載の発明の効果に加えて、第１と第２の防水部は歯車の軸を軸支する一方の基台と一体に形成してあるので、部材点数を削減できて安価となると共に組み立ても簡単に行えるものである。
【００５２】
また、請求項４記載の発明にあっては、上記請求項１記載の発明の効果に加えて、基台に軸支した軸の両側に歯車を固定し、防水部材を該軸の両歯車間において封水するように配設してあるので、減速歯車の軸の両側に固定した歯車間の軸部分において防水部材により封水するという簡単な構成で、駆動源側を回転シリンダー側に対して封水することができ、また、歯車の回転によって巻き込まれてくる毛の侵入を確実に防止することができて、脱毛装置をより清潔にすることができるものである。
【００５３】
また、請求項５記載の発明にあっては、上記請求項４記載の発明の効果に加えて、軸の両側に固定された歯車が、大歯車と小歯車とからなるので、軸の両側に固定された大歯車と小歯車とが減速歯車を構成することになって器具の高さを低くしてコンパクト化が図れるものであり、また、簡単な構成で減速歯車を構成して大歯車と小歯車との間に防水部材を介在させて防水ができるものである。
【００５４】
また、請求項６記載の発明にあっては、上記請求項１記載の発明の効果に加えて、本体ケーシングに内蔵した歯車列部分において防水部材により封水し、回転シリンダーが本体ケーシングに対して着脱自在となっているので、回転シリンダーを本体ケーシングから外して回転シリンダーの下面部を含めて掃除したり、また、本体ケーシングのギア列の一部を掃除することが可能となり、また、回転シリンダーを外して回転シリンダー側のみ重点的に水洗いするということも可能となるものである。
【００５５】
また、請求項７記載の発明にあっては、上記請求項１記載の発明の効果に加えて、回転シリンダーに駆動伝達する最終段歯車の軸部分において防水部材により封水したので、毛や皮脂がギア列を配置した部分の内部に侵入するのを防止し、この結果、掃除に当たっては主として回転シリンダー側を掃除すればよく、また、水洗いで簡単に毛や皮脂を落とすことができるものである。
【００５６】
また、請求項８記載の発明にあっては、上記請求項１記載の発明に加えて、駆動源がモータであるので、本体ケーシング内に簡単に駆動源を組み込むことができるものである。
【００５７】
また、請求項９記載の発明にあっては、上記請求項１記載の発明の効果に加えて、駆動源であるモータ及び歯車列を内蔵した基台を本体ケーシングに内装するとともに本体ケーシングと基台の上部外周との間に第２の防水部材を介装してあるので、第２の防水部材により本体ケーシングと基台との間から毛や皮脂が侵入するのを防止できて、また、水洗いした際にも本体ケーシングと基台との間から水が内部に浸入するのを防止できるものであり、この結果、モータ及び歯車列を内蔵した基台を上部のみが本体ケーシングと第２の防水部材を介して水封できる構造とすればよくて、基台へのモータの組み込み部分は防水を考慮しなくてもよく、基台へのモータの組み込み等の構造を簡略化できるものである。
【００５８】
また、請求項１０記載の発明にあっては、上記請求項１乃至請求項９のいずれか一項に記載の発明の効果に加えて、基台の上部に歯車列を構成する歯車の一つが位置する開口部を設け、基台内のモータと上記開口部に位置する歯車との間の駆動伝達経路の途中に防水部材を配設するので、モータと基台の開口部との間において防水部材によりモータ側に毛や皮脂や水等が入らない構造とすることができるものである。
【００５９】
また、請求項１１記載の発明にあっては、上記請求項１乃至請求項１０のいずれか一項に記載の発明の効果に加えて、基台にモータを内装するモータ内装部と歯車列を内装する歯車列内装部とを設け、モータ内装部と歯車列内装部とを仕切りにより仕切るので、仕切りにより簡単な構成で歯車列側からモータ側に毛や皮脂や水等が入らないようにすることができるものである。
【００６０】
また、請求項１２記載の発明にあっては、上記請求項１乃至請求項１１のいずれか一項に記載の発明の効果に加えて、駆動源であるモータ及び歯車列を内蔵した基台が、複数の分割された基台を組み合わせたものであるから、基台にモータや歯車列や防水部材を組み込むに当たって、分割された基台であるので組み込みが簡単に行えるという利点がある。
【００６１】
また、請求項１３記載の発明にあっては、上記請求項１２記載の発明の効果に加えて、基台がモータを内装するモータ内装用基台と、モータをカバーするためのモータカバー用基台と、モータカバー用基台の外側方において歯車列をカバーするための歯車カバー基台と、モータ内装用基台とモータカバー用基台と歯車カバー基台との上部を覆う上基台とで構成され、上記複数の基台が連結固着してあるので、モータ及び歯車列の基台への組み込みが簡単にでき、また、上基台を設けることにより本体ケーシングと基台の防水を第２の防水部材により封水するに当たって上基台という一つの部材の外周部において行えばよくて、本体ケーシングとの封水の構造を簡略化できるものである。
【００６２】
また、請求項１４記載の発明にあっては、上記請求項１３記載の発明の効果に加えて、モータ内装部と歯車列内装部とを仕切る仕切りがモータカバー用基台により構成してあるので、３部材に分割された基台の一つであるモータカバー用基台がモータ内装部と歯車列内装部とを仕切る仕切りを兼用することになって部材点数が減少して構造が簡略化するものである。
【００６３】
また、請求項１５記載の発明にあっては、上記請求項１４記載の発明の効果に加えて、仕切りであるモータカバー用基台に歯車カバー基台の両端部を当接した状態で固着してモータカバー用基台と歯車カバー基台とにより囲まれた空所を歯車列が内装される歯車列内装部としてあるので、防水部材部分で仕切る歯車列内装部の周囲がモータカバー用基台と歯車カバー基台とで囲まれて封水されることになって、封水構造を簡略化できるものである。
【００６４】
また、請求項１６記載の発明にあっては、上記請求項１５記載の発明の効果に加えて、モータカバー用基台と歯車カバー基台とにより囲まれた空所よりなる歯車列内装部の上部を開口し、この開口と上基台に設けた開口部とを連通させてあるので、歯車列内装部に内装した歯車列の一部を上基台の開口部に位置させることができて、簡単な構成で動力を回転シリンダー側に伝達する構造とすることができるものである。
【００６５】
また、請求項１７記載の発明にあっては、上記請求項１乃至請求項１６のいずれか一項に記載の発明の効果に加えて、防水部材が、減速歯車部分において封水する第１の防水部と、歯車の軸を軸支する基台間の分離継ぎ目を封水する第２の防水部とを一体化したものであり、第１の防水部が歯車に設けたボス又は歯車の軸にはめ込むための環状体よりなり、第２の防水部が基台間の分離継ぎ目に沿って帯状に連続して封水するための帯状枠体よりなるので、環状体を歯車に設けたボス又は歯車の軸にはめ込むことで、歯車列の途中で封水することができ、また、帯状枠体を介して分割した基台間の分離継ぎ目部分を封水することができ、この歯車列の途中における封水と基台間の分離継ぎ目部分の封水とが一つの防水部材により連続して行えるものであり、封水構造が簡略化し且つ組み立てが容易に行えるものである。
【００６６】
また、請求項１８記載の発明にあっては、上記請求項１７記載の発明の効果に加えて、上基台から歯車列内装部内に垂下壁を突出し、歯車カバー基台から歯車列内装部内に突出壁を突出し、垂下壁の先端部と突出壁の先端部との間に防水部材を介在させ、垂下壁と突出壁とその間に介在させた防水部材とで歯車列内装部を上基台側に設けた開口部側とモータの出力軸が位置する側とに仕切り、防水部材の環状体の孔内を歯車のボス又は歯車の軸が水密的に貫通しているので、簡単な構成で歯車列内装部内を防水部材を介して歯車のボス又は歯車の軸部分で開口部側とモータ側とに封水構造により仕切ることができるものである。
【００６７】
また、請求項１９記載の発明にあっては、上記請求項１７記載の発明の効果に加えて、垂下壁の下端面部を防水部材の上端面に押接し、突出壁の先端部を防水部材の側面に押接してあるので、防水部材を介して垂下壁と突出壁との間が密閉されて簡単に歯車列内装部内を防水部材を介して歯車のボス又は歯車の軸部分で開口部側とモータ側とに封水構造により仕切ることができ、封水構造が簡単となるものである。
【００６８】
また、請求項２０記載の発明にあっては、上記請求項１８記載の発明の効果に加えて、垂下壁の下端部に上半円状嵌め込み部を形成し、突出壁の先端部に下半円状嵌め込み部を形成し、防水部材に設けた環状体の上部を上半円状嵌め込み部にはめ込むと共に環状体の下部を下半円状嵌め込み部にはめ込んであるので、防水部材に設けた環状体の位置決めが確実になされるとともに環状体と垂下壁、突出壁との封水が簡単な構造ででき、また、環状体の位置決めが簡単且つ確実にできて防水部材の位置決めが確実にできて、防水部材による封水が確実にできることになる。
【００６９】
また、請求項２１記載の発明にあっては、上記請求項１７又は請求項１９記載の発明の効果に加えて、垂下壁の下端面部を防水部材の上端面に押接し、突出壁の先端部に上方に向けて立ち上がった立ち上がり部を設け、この立ち上がり部を防水部材の下端面に押接してあるので、防水部材が垂下壁と立ち上がり部とで上下から挟持されて確実な封水ができるとともに、防水部材の取付けが確実に行えるものである。
【００７０】
また、請求項２２記載の発明にあっては、上記請求項１７乃至請求項２１のいずれか一項に記載の発明の効果に加えて、横向きコ字状をしたコ字状帯部の両端部から下方に向けて縦帯状部を一体に垂下するとともに縦帯状部の下端から互いに近づく方向に下横帯状部を一体に連設して帯状枠体を構成し、帯状枠体の対向する下横帯状部の先端間に環状体を一体に連設し、垂下壁を両縦帯状部間に嵌め込んで垂下壁を両縦帯状部の内面と両下横帯状部と環状体の上面とに押接するとともに上基台の下面の開口部の周囲をコ字状帯部の上端面に押接し、突出壁の先端部を下横帯状部と環状体の下端部に押接するとともに歯車カバー基台の上端部をコ字状帯部の下面に押接し、歯車カバー基台とモータカバー用基台とで縦帯状部を挟持しているので、防水部材を上基台と歯車カバー基台とモータカバー用基台との複数に分割した基台の継ぎ目部分に沿って位置させて防水部材をが３つの基台により確実に支持して各基台同士の継ぎ目部分の封水を簡単な構成で行うことができるものである。
【００７１】
また、請求項２３記載の発明にあっては、上記請求項１７記載の発明の効果に加えて、モータカバー用基台から仕切り用突壁を突出し、歯車カバー基台から歯車列内装部内に突出壁を突出し、仕切り用突壁の先端部と突出壁の先端部との間に防水部材を介在させ、仕切り用突壁と突出壁とその間に介在させた防水部材とで歯車列内装部を上基台側に設けた開口部側とモータの出力軸が位置する側とに仕切り、防水部材の環状体の孔内を歯車のボス又は歯車の軸が水密的に貫通しているので、簡単な構成で歯車列内装部内を防水部材を介して歯車のボス又は歯車の軸部分で開口部側とモータ側とに封水構造により仕切ることができるものである。
【００７２】
また、請求項２４記載の発明にあっては、上記請求項２３記載の発明の効果に加えて、仕切り用突壁の先端部を上方に向けて突出させて縦仕切り部とし、突出壁の先端部を下方に向けて垂下して縦仕切り部とし、両縦仕切り部間に防水部材の環状体を介在させているので、縦仕切り部と縦仕切り部とで上下より防水部材の環状体を挟持して簡単な構造で封水することができるものである。
【００７３】
また、請求項２５記載の発明にあっては、上記請求項２又は請求項１７乃至請求項２４のいずれか一項に記載の発明の効果に加えて、モータ内装部内に内装したモータの出力軸を歯車列内装部内に突入させ、出力軸にピニオンを固着し、大歯車と小歯車とを有する第１の減速歯車の大歯車を噛み合わせ、第１の減速歯車の小歯車に大歯車と小歯車とを有する第２の減速歯車の大歯車を噛み合わせ、第２の減速歯車の大歯車と小歯車との間の部分のボスに防水部材の環状体を嵌め込んでいるので、複数の減速歯車のうち回転シリンダーに近い方の減速歯車部分において防水部材を取付けて封水することができ、この結果、モータに近い側の減速歯車側には毛や皮脂や水が入らないようにでき、よりいっそう掃除がしやすくなるものである。
【００７４】
また、請求項２６記載の発明にあっては、上記請求項４又は請求項５又は請求項１７乃至請求項２４のいずれか一項に記載の発明の効果に加えて、モータ内装部内に内装したモータの出力軸を歯車列内装部内に突入させ、出力軸にピニオンを固着し、大歯車と小歯車とを有する第１の減速歯車の大歯車を噛み合わせ、軸の両側に大歯車と小歯車とを固着して第２の減速歯車を構成し、第１の減速歯車の小歯車に第２の減速歯車の大歯車を噛み合わせ、第２の減速歯車の軸の大歯車と小歯車との間の部分に防水部材の環状体を嵌め込んだので、複数の減速歯車のうち回転シリンダーに近い方の減速歯車部分において防水部材を取付けて封水することができ、モータに近い側の減速歯車側に毛や皮脂や水が入らないようにでき、この結果、モータに近い側の減速歯車側は掃除をする必要がないものであって、掃除がしやすくなるものである。
【００７５】
また、請求項２７記載の発明にあっては、上記請求項２５又は請求項２６記載の発明の効果に加えて、上基台の開口部内に第２の減速歯車の小歯車に噛み合う出力用歯車を配置してあるので、簡単な構成で、基台側に設けた歯車列からの出力を本体ケーシングに対して外周部を第２の防水部材により封水した上基台の開口部において行うことができるものであり、また、本体ケーシング側においては開口部付近のみを掃除すればよくて掃除が容易となるものである。
【００７６】
また、請求項２８記載の発明にあっては、上記請求項２５又は請求項２６記載の発明の効果に加えて、第１の減速歯車の軸及び第２の減速歯車の軸の両端部がそれぞれモータカバー用基台と歯車カバー基台とに回転自在に軸支してあるので、基台への第１の減速歯車、第２の減速歯車の組み込みが簡単に行えて、組み立て性が向上するものである。
【００７７】
また、請求項２９記載の発明にあっては、上記請求項２７記載の発明の効果に加えて、出力用歯車の軸の両端部が上基台の開口部の両内壁部に支持してあるので、出力用歯車を開口部に取付けた上基台を第２の減速歯車を組み込んだモータカバー用基台と歯車カバー基台との上部に取付けることができて、簡単に第２の減速歯車と出力用歯車とを噛み合わせて歯車列を組み立てることができるものである。
【００７８】
また、請求項３０記載の発明にあっては、上記請求項６又は請求項２７記載の発明の効果に加えて、回転シリンダーを設けた脱毛ヘッドを本体ケーシングに対して着脱自在に取付け、脱毛ヘッドに回転シリンダーを駆動するための駆動用歯車を設け、回転シリンダーに本体ケーシングを取付けた状態で駆動用歯車を出力用歯車に着脱自在に噛合させてあるので、回転シリンダーを設けた脱毛ヘッドを本体ケーシングに着脱するに当たり、簡単な構成で回転シリンダーにモータの回転を伝達して回転シリンダーを回転することができ、しかも、掃除に当たっては、脱毛ヘッドを外すことで、隅々まで掃除ができ、また、水洗いする際にも脱毛ヘッドを外して脱毛ヘッド側のみを水洗いするということも可能となって、掃除が容易に且つ綺麗に行えるものである。
【００７９】
また、請求項３１記載の発明にあっては、上記請求項３０記載の発明の効果に加えて、脱毛ヘッドの下面部に駆動用歯車を露出させ、この脱毛ヘッドの下面に本体ケーシングに着脱自在に取付けるためのフックを設け、該フックを駆動用歯車の露出位置よりも突出させてあるので、脱毛ヘッドを外した場合、駆動用歯車がフックよりも内側に位置することになって、駆動用歯車が他の物に当たって破損したりするのを防止することができて、モータからの回転の伝達に支障が生じないような構造とすることができるものである。
【００８０】
また、請求項３２記載の発明にあっては、上記請求項３０記載の発明の効果に加えて、本体ケーシングの上面部を構成する上基台の上面部に脱毛ヘッドの下面部のフックを着脱自在に取付けるためのフック取付け部を設け、上基台の開口部に配置した出力用歯車の露出位置よりもフック取付け部を突出させてあるので、脱毛ヘッドを外した場合、出力用歯車がフック取付け部よりも内側に位置することになって、出力用歯車が他の物に当たって破損したりするのを防止することができて、モータからの回転の伝達に支障が生じないような構造とすることができるものである。
【００８１】
また、請求項３３記載の発明にあっては、上記請求項３２記載の発明の効果に加えて、フック取付け部にフックとの係止を解除するための操作部を設け、この操作部を本体ケーシングに設けた孔より外方に突出させてあるので、本体ケーシングの孔から外方に突出した操作部を操作することで簡単にフック取付け部とフックとの係止を解除することができて、脱毛ヘッドの本体ケーシングへの着脱が容易に行えるものである。
【００８２】
また、請求項３４記載の発明にあっては、上記請求項３３記載の発明の効果に加えて、上方が開口した本体ケーシングに基台を内装すると共に本体ケーシングと基台の上部外周との間に第２の防水部材を介装し、第２の防水部材による封水位置よりも本体ケーシングの上端開口よりにずれた位置に操作部を突出させる孔を形成してあるので、操作部を突出させる孔から本体ケーシング内に毛や皮脂や水が入っても、この毛や皮脂や水が本体ケーシングのモータを内装した部分には入らないものであって、掃除が容易に行えるものである。
【００８３】
また、請求項３５記載の発明にあっては、上記請求項１３記載の発明の効果に加えて、モータ内装用基台の上部の一端部と上基台の一端部とが係止手段により係止され、且つモータ用内装基台の下部の他端部とモータカバー用基台の下端部と歯車カバー基台の下端部とが共通のねじ具により固着され、且つ歯車カバー基台の上部が上基台の他端部にねじ具により固着してあるので、３分割されたモータ内装用基台とモータカバー用基台と歯車カバー基台とを簡単に組立固着して本体ハウジング内に内装するための基台を構成することができるものである。
【００８４】
また、請求項３６記載の発明にあっては、上記請求項３５記載の発明の効果に加えて、係止手段による係止位置及び上下のねじ具による固着位置がいずれも第２の防水部材による封水位置よりも本体ケーシング内に位置させてあるので、本体ケーシングが縦に２つ割りされた半割ケーシングを合着させて構成してあり、両半割ケーシングの合わせ部分に第３の防水部材を介在させてあるので、分割した基台の係止や固着部分からの毛や皮脂や水の侵入を考慮する必要がなくて分割された基台の組立固着の構造が容易となるものであって、構造が簡略化するものである。
【００８５】
また、請求項３７記載の発明にあっては、上記請求項９記載の発明の効果に加えて、本体ケーシングが縦に２つ割りされた半割ケーシングを合着させて構成してあり、両半割ケーシングの合わせ部分に第３の防水部材を介在させるので、本体ケーシングの内部への基台等の組み込みが容易に行えるものであり、また、２つ割りされた構成であるにもかかわらず、第３の防水部材を介在することで、半割ケーシングの合わせ部分から本体ケーシングの内部に毛や皮脂や水が侵入するのが確実に防止できるものである。
【００８６】
また、請求項３８記載の発明にあっては、上記請求項９記載の発明の効果に加えて、本体ケーシングの内面部の上部と上基台の外周面部にそれぞれ対向して第２の防水部材嵌め込み溝を形成し、対向する第２の防水部材嵌め込み溝に第２の防水部材の外側半部と内側半部とを嵌め込んであるので、本体ケーシングの内面部と上基台の外周面部とを第２の防水部材で水封するに当たって、第２の防水部材を本体ケーシング及び上基台に対して位置決めした状態で取付けることができ、これにより、本体ケーシングに対して基台を第２の防水部材を介して位置決め支持することができるものであって、基台に内蔵したモータの振動が第２の防水部材により減衰されて本体ケーシング側に伝わりにくい構成にでき、また防水を確実に行えるものである。
【００８７】
また、請求項３９記載の発明にあっては、上記請求項３７記載の発明の効果に加えて、半割ケーシングの合わせ部分に第３の防水部材嵌め込み溝部を形成し、前後に対向する半割ケーシングの第３の防水部材溝嵌め込み溝部に第３の防水部材の前側半部と後側半部とを嵌め込んであるので、半割ケーシングの所定の位置に第３の防水部材を位置決めでき、このように位置決めされた第３の防水部材を介して半割ケーシング同士を正確な位置関係で位置合わせすることができて、防水が確実に行えるものである。
【００８８】
また、請求項４０記載の発明にあっては、上記請求項３７記載の発明の効果に加えて、本体ケーシングの内面部の上部と上基台の外周面部にそれぞれ対向して第２の防水部材嵌め込み溝を形成し、対向する第２の防水部材嵌め込み溝に第２の防水部材の外側半部と内側半部とを嵌め込み、半割ケーシングの合わせ部分に第３の防水部材嵌め込み溝部を形成し、前後に対向する半割ケーシングの第３の防水部材溝嵌め込み溝部に第３の防水部材の前側半部と後側半部とを嵌め込み、第３の防水部材嵌め込み溝部の端部を第２の防水部材嵌め込み溝部に連通させ、第３の防水部材嵌め込み溝部に嵌め込んだ第３の防水部材の端部を第２の防水部材嵌め込み溝部に嵌め込んだ第２の防水部材の下面部に押接してあるので、第３の防水部材と第２の防水部材とで半割ケーシングの合わせ部分及び本体ケーシングの内周部と上基台の外周面部との間の部分を簡単な構成で連続して封水することができるものである。
【００８９】
また、請求項４１記載の発明にあっては、上記請求項１２記載の発明の効果に加えて、基台がモータを内装するモータ内装用基台と、モータをカバーするためのモータカバー用基台と、モータカバー用基台の外側方において歯車列をカバーするための歯車カバー基台とで構成され、上記複数の基台が連結固着され、モータ内装用基台のモータカバー用基台の取付け側と反対側の上部から上方に突出した突出支持部と、歯車カバー基台の上部から上方に突出した突出支持部とで回転シリンダーを回転自在に支持してあるので、簡単な構成でモータ、歯車列を内装し、回転シリンダーを回転自在に支持する基台を構成できるものであり、また、基台を複数に分割することでモータ、歯車列、回転シリンダーの組み込みが容易に行えるものである。
【００９０】
また、請求項４２記載の発明にあっては、上記請求項２４又は請求項４１記載の発明の効果に加えて、モータカバー用基台から上方に向けて立設した縦仕切り部と、歯車カバー基台から下方に向けて垂設した縦仕切り部と、両縦仕切り部の先端間に介在された防水部材により構成される縦仕切り部で歯車列を内装した空所を仕切り、モータ収納用基台の上部の他端部と縦仕切り部とに囲まれた部分を開口部とし、防水部材に設けた環状体の孔内を水密的に軸を貫通させ、この軸に縦仕切り部を介して両側にそれぞれ歯車を固着し、一方の歯車をモータ側に位置させてモータからの回転が伝達される入力側歯車とし、他方の歯車を開口部内に位置させて出力用歯車としてあるので、縦仕切り部で歯車列の途中を水密的に仕切ることで縦仕切りより内側に毛や皮脂や水が入らないようにできるものであり、また、縦仕切り部を介して両側に位置する歯車のうち他方側が開口部内に位置して出力用歯車となっているので、開口部部分に位置する出力用歯車よりもモータ側の歯車列に毛や皮脂や水が入ることがなく、開口部に位置する出力用歯車のみを掃除すればよくて、掃除がより容易に行えるものである。
【００９１】
また、請求項４３記載の発明にあっては、上記請求項７又は請求項４２記載の発明の効果に加えて、出力用歯車を回転シリンダーに設けた歯車に噛合しているので、脱毛ヘッド側においては回転シリンダーに設けた歯車以外には歯車がなく、脱毛ヘッド側の掃除が簡単に行えるものである。
【００９２】
また、請求項４４記載の発明にあっては、上記請求項３又は請求項１３又は請求項４１記載の発明の効果に加えて、第１と第２の防水部よりなる防水部材を歯車カバー基台に一体に形成しているので、防水部材と歯車カバー基台とを一体化することで部材点数を削減することができ、また、歯車カバー基台を組み込むことで同時に防水部材の組み込みができて組み立てが容易に行えるものである。
【発明を実施するための最良の形態】
【００９３】
以下、本発明を添付図面に示す実施形態に基づいて説明する。
【００９４】
本発明の脱毛装置は手で把持できる本体ケーシング１に毛を除毛するための脱毛手段を有する脱毛ヘッド２を備えたものであり、本体ケーシング１には駆動源であるモータ３が内蔵してあり、脱毛ヘッド２には脱毛手段を備えた回転シリンダー４が取付けてある。回転シリンダー４に設けた脱毛手段は開閉して毛を掴む複数の爪５を備えていて回転により毛を挟持して引き抜くように構成してあり、モータ３の回転を駆動伝達手段により回転シリンダー４に伝達して回転シリンダー４を回転することで、脱毛手段により毛を挟持して引き抜くようになっている。そして、本発明においては、駆動源であるモータ３から回転シリンダー４に駆動伝達するための駆動伝達手段である歯車列の途中にモータ３側を回転シリンダー４側に対して封水するための防水部材６を設け、モータ３側に毛や皮脂や水が入らないような構造、特に、モータ３側に水が入らないような防水構造とすることで水洗いが可能なようにしたものである。
【００９５】
まず、図１乃至図１０に基づいて本発明の一実施形態につき説明する。図１、図３、図４、図５に示すように、本体ケーシング１は前後に２つ割りした半割ケーシング７を合着して構成してあり、本体ケーシング１は上端が開口したもので、モータ３や駆動伝達手段である歯車列を内蔵した基台８が本体ケーシング１内に内装してあり、さらに、本体ケーシング１内にモータ３を駆動するための乾電池又は充電器９を内装してある。
【００９６】
基台８の上面部は本体ケーシング１の上端開口を塞いでおり、この基台８の上面部にフック取付け部１０が設けてあり、脱毛ヘッド２の下面部に設けた一対のフック１１をフック取付け部１０に着脱自在に取付けることで本体ケーシング１に対して脱毛ヘッド２を着脱自在に取付けることができるようにしている。
【００９７】
基台８は複数の分割された基台を組み合わせて構成してあり、本実施形態においては、基台８がモータ３を内装するモータ内装用基台１２と、モータ３をカバーするためのモータカバー用基台１３と、モータカバー用基台１３の外側方において歯車列をカバーするための歯車カバー基台１４と、モータ内装用基台１２とモータカバー用基台１３と歯車カバー基台１４との上部を覆う上基台１５とで構成してある。
【００９８】
モータ内装用基台１２は図５に示すように、コ字状をしたモータ内装部１２ａと、モータ内装部１２ａの上面部の一端部から上方に突出した上向き突片１２ｂとで構成してあり、上向き突片１２ｂに係止部１２ｃが設けてある。コ字状をしたモータ内装部１２ａには側方の開口からモータ３が嵌め込まれて内装され、コ字状をしたモータ内装部１２ａの側方開口部にモータカバー用基台１３を取付け、更に、モータカバー用基台１３の外側に歯車カバー基台１４を取付けてあり、モータカバー用基台１３と歯車カバー基台１４とに囲まれた空所が歯車列内装部１６となっており、モータ内装部１２ａと歯車列内装部１６とがモータカバー用基台１３により仕切ってある。
【００９９】
モータ内装部１２ａに内装されたモータ３の出力軸３ａが仕切りであるモータカバー用基台１３の孔１３ａを貫挿して歯車列内装部１６内に突出しており、この出力軸３ａの歯車列内装部１６内に突出した部分にピニオン１７が固着してある。モータ内装部１２ａ内には複数の減速歯車１８、１９が設けてある。減速歯車１８、１９はいずれも大歯車１８ａ、１９ａと小歯車１８ｂ、１９ｂとよりなるもので、各減速歯車１８、１９の軸１８ｃ、１９ｃの両端部がそれぞれモータカバー用基台１３と歯車カバー用基台１４に設けた孔に軸支してある。減速歯車１８の大歯車１８ａがピニオン１７に噛み合っており、減速歯車１８の上方に減速歯車１９が配置してあり、減速歯車１８の小歯車１８ｂに減速歯車１９の大歯車１９ａが噛み合っている。減速歯車１９の大歯車１９ａと小歯車１９ｂとの間には小歯車１９ｂと同径かまたは大径のボス１９ｄが設けてある。
【０１００】
モータカバー用基台１３の外面部（つまり歯車カバー基台１４側の面）の両側端及び下端部にわたってＵ字状にリブ１３ｂが突設してあり、このＵ字状をしたリブ１３ｂの両側上部には段部１３ｃが設けてある。
【０１０１】
図７に示すように、歯車カバー基台１４の内面部（つまりモータカバー用基台１３側の面）は凹所となっており、歯車カバー基台１４の凹所の上部に凹所を上凹所１４ｄと下凹所１４ｅとに上下に仕切るように横向きに突出壁１４ａを設けてあり、この突出壁１４ａの先端部に立ち上がり部１４ｂを形成してあり、立ち上がり部１４ｂの中央部に半円状に凹設した下半円状嵌め込み部１４ｃを形成してあり、下半円状嵌め込み部１４ｂの略下半分が突出壁１４ａの先端面よりも下方に位置していて図７に示すように下半円状嵌め込み部１４ｂの略下半分の部分において突出壁１４ａの先端面が露出している。また、下半円状嵌め込み部１４ｂの略下半分を除く立ち上がり部１４ｂの他の部分は突出壁１４ａの上面よりも上方に突出している。上凹所１４ｄの両側壁１４ｇは下凹所１４ｅの両側壁よりもモータカバー用基台１３側に向けて突出しているが、立ち上がり部１４ｂは上凹所１４ｄの両側壁１４ｇよりも更にモータカバー用基台１３側に突出している。そして、この立ち上がり部１４ｂを突出した部分をモータカバー用基台１３の段部１３ｃにはめ込むとともにＵ字状のリブ１３ｂの段部１３ｃよりも下の部位に下凹所１４ｅの外周縁面を当接するようになっている。また、上凹所１４ｅの立ち上がり部１４ｂと反対側の側壁部の内面には位置決め凹部１４ｆが形成してある。
【０１０２】
上基台１５は外形が本体ケーシング１の上端開口とほぼ同じ形状をしており、外周部に第２の防水部材嵌め込み溝部１５ａが形成してあって、この第２の防水部材嵌め込み溝部１５ａにリング状をした弾性を有する第２の防水部材２３の内側半部が嵌め込まれる。図５に示すように、上基台１５の一側部に開口部１５ｂが設けてあり、上基台１５の下面部には開口部１５ｂを挟んで外側に固定片１５ｃを垂設すると共に内側に垂下壁１５ｄを垂設してある。垂下壁１５ｄの下端部の中央部には略半円状をした上半円状嵌め込み部１５ｅが形成してある。また、上基台１５の下面部の固定片１５ｃを垂下した方の端部の反対側の端部には被係止部１５ｆが形成してある。また、上基台１５の上面部中央部には上方に向けてトンネル通路を有するトンネル用突部１５ｇが突設してあり、トンネル用突部１５ｇの上面部の中央部には孔１５ｈが設けてあり、トンネル用突部１５ｇの上面部のトンネル通路と直交する方向の両端部には上方に向けて支持突片１５ｉが突設してある。また、開口部１５ｂ内には出力用歯車２０が配置してあって、出力用歯車２０の軸２０ａが開口部１５ｂの両内壁部に軸支してある。
【０１０３】
モータ内装用基台１２の下端部とモータカバー用基台１３の下端部と歯車カバー基台１４の下端部とをそれぞれの下端部に設けた孔に歯車カバー基台１４側からねじ具２１を挿入して固着する。また、モータ内装用基台１２の上端部とモータカバー用基台１３の上端部と歯車カバー基台１４の上端部とにわたるように上基台１５が配置され、モータ内装用基台１２に設けた係止部１２ｃに上基台１５に設けた被係止部１５ｆを係止し、更に、上基台１５の固定片１５ｃを歯車カバー基台１４の位置決め凹部１４ｆに嵌め込んで位置決めした状態で歯車カバー基台１４と固定片１５ｃとをねじ具２１により固定する。
【０１０４】
ここで、本発明においては、駆動伝達手段である歯車列の途中に防水部材６を設けて上基台１５の開口部１５ｂから入った毛や皮脂や水がモータ３側に入るのを防止するようになっている。
【０１０５】
防水部材６は弾性を有しており、その形状は図７に示すようなものであり、減速歯車部分において封水する第１の防水部と、分割された基台間の分離継ぎ目を封水する第２の防水部とを一体化したものであってゴムのような弾性体により構成してある。第１の防水部は歯車に設けたボス又は歯車の軸にはめ込むための環状体６ａにより構成してあり、第２の防水部は基台８間の分離継ぎ目に沿って帯状に連続して封水するための帯状枠体６ｂにより構成してある。帯状枠体６ｂは横向きコ字状をしたコ字状帯部６ｃの両端部から下方に向けて縦帯状部６ｄを一体に垂下するとともに縦帯状部６ｄの下端から互いに近づく方向に下横帯状部６ｅを一体に連設して構成してあり、帯状枠体６ｂの対向する下横帯状部６ｅの先端間に環状体６ａを一体に連設することで防水部材６が一体に形成してある。
【０１０６】
しかして、上記の構成の防水部材６は、環状体６ａの孔を減速歯車１９のボス１９ｄに水密的に嵌め込み、コ字状帯部６ｃを歯車カバー基台１４の上端面である上凹所１４ｄの側壁１４ｇの上面と上基台１５の下面部の開口部１５ｂの周囲の部分とで上下から押圧挟持し、縦帯状部６ｄをモータカバー用基台１３のリブ１３ｂの段部１３ｃ部分と歯車カバー基台１４の上凹所１４ｄの側壁１４ｇの側端面とで押圧挟持し、下横帯状部６ｅを縦帯状部６ｄ間に隙間無くぴったりとはめ込んだ上基台１５の垂下壁１５ｄの下端面と立ち上がり部１４ｂの上面とで押圧挟持し、環状体６ａの上半分と下半分とを上半円状嵌め込み部１５ｅと下半円状嵌め込み部１４ｃに嵌め込んで上下より押圧挟持し、さらに環状体６ａの下部の側面に突出壁１４ａの先端面を押接してある。このようにして防水部材５を取付けるのであるが、図６にはこのようにして取付けた防水部材６を歯車カバー基台１４、モータカバー用基台１３、上基台１５の合わせ目部分に介在させた部分の斜視図が示してある。
【０１０７】
このようにして防水部材６を取付けることで、垂下壁１５ｄと、立ち上がり部１４ｂを有する突出壁１４ａと、その間に介在される防水部材６とで減速歯車１９のボス１９ｄ部分を境界として歯車列内装部１６内をモータ３側と開口部１５ｂ側とに水密的に仕切られることになる。そして、減速歯車１９の大歯車１９ａが下凹所１４ｅと連通した空所に位置し、減速歯車１９の小歯車１９ｂが上凹所１４ｄ内に位置して開口部１５ｂの直下に位置し、開口部１５ｂに配設した出力用歯車２０と噛み合っている。したがって、開口部１５ｂから入った毛や皮脂や水は防水部材６によりそれ以上内部に入るのが防止されることになる。
【０１０８】
上記のようにモータ３と歯車列を内蔵した基台８を２つ割りの本体ケーシング１内に内装するには以下のようにして行われる。
【０１０９】
半割ケーシング７の内面部の上部には内面部の横方向にわたって第２の防水部材嵌め込み溝部７ａが形成してあり、更に半割ケーシング７の合わせ部分に沿ってＵ字状に第３の防水部材嵌め込み溝部７ｂが形成してあり、Ｕ字状をした第３の防水部材嵌め込み溝部７ｂの両上端部が第２の防水部材嵌め込み溝部７ａの下端に連通している。前後に対向する半割ケーシング７を合着する際前後に対向する第３の防水部材嵌め込み溝部７ａに第３の防水部材２２の前側半部と後側半部とを嵌め込んで合せた状態でねじ具により両半割ケーシング７を合着して本体ケーシング１を構成するのであるが、この場合、モータ３と歯車列を内蔵した基台を内部に配置し、上基台１５の外周部に取付けている第２の防水部材２３の外側半部を両半割ケーシング７の第２の防水部材嵌め込み溝部７ａに嵌め込み、Ｕ状をした第３の防水部材２２の両上端部をそれぞれ第２の防水部材２３の下端面に押接してあって第３の防水部材２２と第２の防水部材２３とで半割ケーシング７の合着部分及び本体ケーシング１の内面部と上基台１５の外周面部との間の封水を連続して行っている。
【０１１０】
このような構成とすることで、基台を内装した本体１内には上基台１５に設けた開口部１５ｂ以外は内部に連通する部分は無く、しかも基台８内において開口部１５ｂの近傍で防水部材６によりそれ以上モータ３側に毛や皮脂や水等が入らないようになっている。
【０１１１】
ここで、基台は上記のように上基台１５の外周部分を弾性を有する第２の防水部材２３により本体ケーシング１に弾性的に支持してあるが、基台（モータ内装用基台１２）の下面部は更に半割ケーシング７内に設けたばね支持部７ｃに支持したばね材２４により弾性的に支持してあり、また、半割ケーシング７内の第２の防水部材嵌め込み溝部１５ａよりも下方に設けた突起７ｄにコ字状をした支持枠２５の孔２５ａが嵌め込むことで支持枠２５を一方の半割ケーシング７の内部に取付けてあり、コ字状の支持枠２５の両側片にＵ字状をした切り込み溝部を形成して切り込み溝部に囲まれた部分に弾性を有する連結片２５ｂが形成してあり、この連結片２５に設けた孔を歯車カバー基台１４とモータ内装用基台１２の外面にそれぞれ設けた取付け突起１４ｈに嵌め込んで取付けてあり、これにより第２の防水部材２３とばね材２４との間で更に基台８を本体ケーシング１に対して弾性的支持してある。これによりモータ３を内装した基台８が弾性を有する第２の防水部材２３とばね２４と弾性片２５ｂを有する支持枠２５により弾性的に支持してあって、モータ３の振動が本体ケーシング１側に伝わりにくくしてある。
【０１１２】
上基台１５の上面部の両側にはスライド自在にスライド枠２６が配置してあり、平面視略矩形をしたスライド枠２６の外側片部から外側方に向けて操作部２６ａが突設してあり、スライド枠２６の内側片部の内面に支持フック２６ｂが突設してあり、更にスライド枠２６の内側片部の上面にストッパ用突部２６ｃが上方に向けて突出してある。
【０１１３】
図１に示すように、両スライド枠２６の内側部分をトンネル用突部１５ｇのトンネル通路内にスライド自在に嵌め込み、ストッパ用突部２６ｃをトンネル用突部１５ｇの上面部に設けた孔１５ｈ内にスライド自在に嵌め込んであって、ストッパ用突部２６ｃが孔１５ｈの縁に当たることでスライド枠２６が抜けないようになっている。トンネル用突部１５ｇのトンネル通路内において両スライド枠２６間にスプリング２６ｄが介装してあって、スプリング２６ｄにより両スライド枠２６を外側に向けて弾性付勢している。そして、トンネル用突部２６ｃと両スライド枠２６とでフック取付け部が構成してある。また、両スライド枠２６の操作部２６ａは本体ケーシング１に設けた孔７ｅにはめ込まれて本体ケーシング１より外側方に突出させてある。
【０１１４】
脱毛ヘッド２は図１、図２、図８に示すように、脱毛手段を備えた回転シリンダー４と、シリンダー取付け基台２７と、シリンダーカバー２８と、カム２９と、保持ばね３０と、ヘッドフレーム３１とで構成してある。
【０１１５】
回転シリンダー４は図９に示すように、円周方向に複数箇所（実施形態では３６°の間隔を置いて１０箇所）の凹部４ａが形成してある。凹所４ａの両端部にはそれぞれ固定爪５ｂが突出してあり、この凹所４ａの両端部に突設した固定爪５ｂには孔５ｂ１が形成してある。また、凹部４ａ内には脱毛用主体ユニット３２が嵌め込んである。
【０１１６】
脱毛用主体ユニット３２は図９に示すように支点板３３と、複数（実施形態では４枚）の可動爪５ａと、支点止め部材３４と、ばね受け部材３５と、伝達レバー３６と、ばね３７とで構成してある。支点板３３は中央部にばね受け嵌め込み用角孔３３ａを設け、両側にリブ嵌め込み用角孔３３ｂを設け、ばね受け嵌め込み用角孔３３ａと両リブ嵌め込み用角孔３３ｂとの間と、両リブ嵌め込み用角孔３３ｂの角外方にそれぞれ可動爪嵌め込み用角孔３３ｃが形成してある。
【０１１７】
支点止め部材３４は中央部にはね受け嵌め込み孔３４ａが設けてあり、ばね受け嵌め込み孔３４ａの両側から上方に固定爪５ｂが突設してあり、また、支点止め部材３４の下面部の両側にはそれぞれ２個で一組となったリブ３４ｂが下方に向けて垂設してあり、リブ３４ｂには長孔３４ｃが設けてある。また、支点止め部材３４には長手方向に孔３４ｄが設けてある。そして、この支点止め部材３４は両側の２個で一組みとなったリブ３４ｂを支点板３３の両側のリブ嵌め込み用角孔３３ｃに嵌め込んである。
【０１１８】
ばね受け部材３５には上部に孔３５ａが設けてあり、また、下部にばね挿入孔３５ｂが設けてある。そして、ばね受け部材３５が支点止め部材３４のばね受け嵌め込み孔３４ａ、支点板３３のばね受け嵌め込み用角孔３３ａに嵌め込んである。また、可動爪５ａには孔５ａ１が設けてあり、４枚の可動爪５ａのうち２枚の可動爪５ａが支点止め部材３４に突設した固定爪５ｂとばね受け部材３５との間からばね受け嵌め込み孔３４ｂに挿入して、更に、支点板３３のばね受け嵌め込み用角孔３３ａの両側の可動爪嵌め込み用角孔３３ｂに挿入してある。また、他の２枚の可動爪５ａは支点板３３の両端部の可動爪嵌め込み用角孔３３ｂに嵌め込んである。また、２個で一組となったリブ３４ｂにはそれぞれ伝達レバー３６の上部の突片３６ａが嵌め込んであって突片３６ａに設けた係合突部３６ｂがリブ３４ｂの長孔３４ｃにスライド自在に係合してあって、一方の伝達レバー３６が一側の２枚の可動爪５ａの下部間に介在され、他方の伝達レバー３６が他側の２枚の可動爪５ａの下部間に介在してある。また、ばね受け部材３５に設けたばね挿入孔３５ｂに挿入したばね３７が中央部の両可動爪５ｂの下部内面に弾接している。
【０１１９】
上記のようにして脱毛用主体ユニット３２が一つのユニットとして組み立ててある。そして、この脱毛用主体ユニット３２を回転シリンダー４の各凹部４ａに嵌め込み、凹部４ａの一方の端に設けた固定爪５ｂに設けた孔５ｂ１から軸４９を挿入し、支点止め部材３４の孔３４ｄ、４枚の可動爪５ａの各孔３ａ１，ばね受け部材３５の孔３５ａを挿通し、該軸４９の先端部を凹部４ａの他端の固定爪５ｂの孔５ｂ１に嵌め込んで凹部４ａに脱毛用主体ユニット３２を取付けてある。
【０１２０】
回転シリンダー４の軸方向の両端面部には図９に示すように周方向に複数の孔４ｂが形成してあり、回転シリンダー４の軸方向の一端面部に設けた複数の孔４ｂに周方向に開閉レバー３８と開閉レバー３９とが交互に挿入してあり、開閉レバー３８の端部の押圧部３８ａは開閉レバー３９の端部の押圧部３９ａよりも回転シリンダー４の径方向の内側にずれて位置しており、図８に示すように径方向にずれている押圧部３８ａ、３９ａとが周方向において押圧部３８ａの両端部がそれぞれ押圧部３９ａの端部と重なっている。
【０１２１】
また、回転シリンダー４の軸方向の他端面部に設けた複数の孔４ｂに周方向に開閉レバー３９と開閉レバー３８とが前述と同様にして交互に挿入してある。そして、一端面側の孔４ｂに挿入した開閉レバーとこの孔４ｂと対向する他端面側の孔４ｂに挿入した開閉レバーとは一方側が開閉レバー３８となっていると、他方側が開閉レバー３９となるような関係となっている。
【０１２２】
添付図面に示す実施形態においては、回転シリンダー４の凹部４ａが軸方向において交互にずれて形成してあるため、開閉レバー３９は開閉レバー３８よりも長さが短くなっている。両側の開閉レバー３８、３９の端部はそれぞれ凹部４ａにはめ込んだ脱毛用主体ユニット３２の両伝達レバー３６の外側端部に接している。そして、開閉レバー３９を外側から押す力が作用しない状態では、ばね３７のばね力により中央の２つの可動爪５ａの下部が外側に押され、これにより両伝達レバー３６が外側に押され、これにより外側の２つの可動爪５ａの下部がそれぞれ外側に押される。このように、中央の２つの可動爪５ａの下部が外側に押されることで該中央の２つの可動爪５ａが支点板３３の可動爪嵌め込み用角孔３３ｃの孔縁を支点として回動して支点止め部材３５に設けた固定爪５ｂから離れ、また、両外側の可動爪５ａの下部が外側が押されることで両側の２つの可動爪５ａが支点板３３の可動爪嵌め込み用角孔３３ｃの孔縁を支点として回動して回転シリンダー４に設けた固定爪５ｂから離れるようになっている。
【０１２３】
回転シリンダー４には軸４ｂが挿入してあり、シリンダー取付け基台２７の一端部の上面部から上方に向けて突出した突出支持部２７ａとシリンダー取付け基台２７の他端部に取付けられるシリンダーカバー２８に設けた突出支持部２８ａにそれぞれ設けた軸孔部２８ｂに上記シリンダー４の軸４ｂの両端部が軸支してある。
【０１２４】
図８に示すように、突出支持部２７ａ、２８ａにはそれぞれ角孔状をしたカム挿入孔２７ｃ、２８ｃが形成してあり、カム挿入孔２７ｃ、２８ｃの上下縁部に軸支持溝２７ｄ、２８ｄが形成してある。そして、カム２９を構成するローラがそれぞれカム挿入孔２７ｃ、２８ｃに嵌め込まれ、各ローラに挿入したローラ軸２９ａの上下両端部が軸支持溝２７ｄ、２８ｄに嵌め込み支持してあり、ローラは水平回転をするようになっている。ここでローラの一部はカム挿入孔２７ｃ、２８ｃから内側に突出している。
【０１２５】
突出支持部２７ａ、突出支持部２８ａの外側下部には保持ばね嵌め込み溝部２７ｅ、２８ｅが設けてあり、保持ばね嵌め込み溝部２７ｅ、２８ｅにそれぞれ保持ばね３０のＵ字状をした下部が嵌め込んで支持してあり、Ｕ字状部分に設けた
係止突片部３０ａが保持ばね嵌め込み溝部２７ｅ、２８ｅに設けた係止孔部２７ｆ、２８ｆに係止して取付けてある。保持ばね３０の上部には孔部３０ｂが形成してあり、この孔部３０ｂの上下縁部によりローラ軸２９ａの上下両端部を弾性的に押圧しており、孔部３０ｂを設けることでローラがこの孔部３０ｂに対応して保持ばね３０に接触しないようになっている。
【０１２６】
シリンダー取付け基台２７の下面部には回転シリンダー４の軸４ｂと平行な方向の両側にそれぞれ対向するように一対のフック１１が下方に向けて突出しており、シリンダー取付け基台２７の回転シリンダー４の軸４ｂと直交する方向の両側部には嵌め込み凹部２７ｈが形成してある。また、シリンダー取付け基台２７の突出支持部２７ａを突出した方と反対側の端部には凹欠部２７ｉが設けてあり、この凹欠部２７ｉ内に駆動用歯車４０が配置してあり、この駆動用歯車４０の軸の両端部がシリンダー取付け基台２７とシリンダーカバー２８とに軸支してあり、駆動用歯車４０の上部は回転シリンダー４に設けた歯車４１に噛み合っている。シリンダー取付け基台２７とシリンダーカバー２８とを回転シリンダー４を取付けた状態で組み合わせて固着し、この状態でヘッドフレーム３１を被せて取付けることで脱毛ヘッド２を構成してある。
【０１２７】
上記の構成の脱毛ヘッド２は本体ケーシング１に対して着脱自在に取付けられるものである。脱毛ヘッド２の取付けに当たっては、操作部２６ａを押した状態で脱毛ヘッド２の下面の一対のフック１１をそれぞれ両スライド枠２６の矩形状をした開口内に嵌め込み、この状態で操作部２６ａの押圧を解除することでスプリング２６ｄのばね力により両スライド枠２６を外側に移動させて支持フック２６ｂを上記フック１１に係止することで取付けるものである。この場合、トンネル用突部１５ｇに突設した一対の支持突片１５ｉがシリンダー取付け基台２７の嵌め込み凹部２７ｈに嵌め込んであって脱毛ヘッド２が本体ケーシング１にがたつくことなく確実に取付けられるようになっている。このように脱毛ヘッド２を本体ケーシング１に対して取付けた状態では駆動用歯車４０と出力用歯車２０とが噛み合うことになり、したがって、モータ３の回転を歯車列を介して回転シリンダー４に設けた歯車４１に伝達して回転シリンダー４を回転するようになっている。
【０１２８】
一方、脱毛ヘッド２を取り外すに当たっては、上記と逆に操作部２６ａを押すことで支持フック２６ｂをフック１１から外すことができるので、この状態で脱毛ヘッド２を引き離すことで取り外すことができるものである。
【０１２９】
しかして、脱毛ヘッド２を本体ケーシング１に取付けた状態で人体の毛を脱毛するものであるが、脱毛は以下のようにして行われる。
【０１３０】
すなわち、モータ３を回転することで、ギア列を介して回転シリンダー４を回転する。回転シリンダー４が回転して、開閉レバー３８、３９の押圧部３８ａ、３９ａがカム２９を構成するローラに当たる位置に来ると、ローラにより開閉レバー３８、３９をばね３７に抗して内側に押し、開閉レバー３８、３９の先端部により外側の可動爪５ａの下部を内側に押すと共に該外側の可動爪５ａの下部を介して伝達レバー３６を内側に押して移動させて内側の可動爪５ａの下部を内側に押す。このようにして４枚の可動爪５ａの下部が内側に押されることで可動爪５ａが回動して可動爪５ａの上部がそれぞれ固定爪５ｂに押し当たることになり、可動爪５ａと固定爪５ｂとの間に導入された毛が挟持されることになる。そして、この毛を挟持した状態で回転シリンダー４が回転することで毛を引き抜くものである。回転シリンダー４の回転により次の開閉レバー３８、３９がローラの所に至ってローラにより押圧されて上記と同様に毛を挟持して引き抜くものである。
【０１３１】
ここで、図８に示すように、周方向に一つ置きに設けた開閉レバー３８の押圧部３８ａの両端部が開閉レバー３９の押圧部３９ａの端部と周方向においては重なっているので、毛を挟持するのに寄与した開閉レバーの押圧部の回転方向の後端部をローラで押圧しているとき、次の開閉レバーの押圧部の前端部がローラで同時に押圧されることになり、このため、爪５を回転シリンダー４の周方向に複数配置しても毛を挟持して引き抜く距離を長くとることができるものである。
【０１３２】
上記のようにして脱毛するのであるが、毛や皮脂は駆動伝達手段を構成する歯車列の途中に設けた防水部材６の存在によりモータ３側に侵入するのが防止されるようになっている。
【０１３３】
脱毛装置の掃除に当たっては、上記のように防水部材６をギア列の途中に設けて防水部材６を設けた部分よりもモータ３側には毛や皮脂等が侵入しないので、防水部材６よりも回転シリンダー４側を掃除すればよくて、掃除が簡単に行えるものである。また、モータ３側に水が入るのが防水部材６により防止されるので、水洗いにより掃除することが可能となり、水洗いにより簡単且つ確実に毛や皮脂を洗い落とすことができるものであり、この場合、ブラシを使いながら水洗いするとより爪５や歯車に巻き付いたり付着した毛や皮脂を容易に掃除できるものである。
【０１３４】
そして、上記の実施形態のように本体ケーシング１に対して回転シリンダー４を備えた脱毛ヘッド２を着脱自在に取付けた構成とすることで、掃除に当たって図１０に示すように、脱毛ヘッド２を本体ケーシング１から外して掃除することで、隅々まで容易に掃除でき、特に、水洗いに当たってモータ３から分離された脱毛ヘッド２のみを重点的に水洗いできて、回転シリンダー４、爪５等に巻き付いたり付着したりしている毛や皮脂を綺麗に水洗いすることが可能となるものである。
【０１３５】
ここで、すでに述べたように、脱毛ヘッド２の下面部に駆動用歯車４０を露出させてあるが、脱毛ヘッド２の下面に設けたフック１１を駆動用歯車４０の露出位置よりも突出させてあるので、上記のように掃除などのために脱毛ヘッド２を外した場合、駆動用歯車４０がフック１１よりも内側に位置することになって、駆動用歯車４０が他の物に当たって破損したりするのを防止することができるものである。
【０１３６】
また、本体ケーシング１の上開口を遮蔽して本体ケーシング１の上面部を構成する上基台１５の開口部１５ｂにおいて出力用歯車２０を露出させた構成としてあるが、上基台１５の上面部に設けたフック取付け部を出力用歯車２０の露出位置よりも突出させてあるので、脱毛ヘッド２を外した場合、出力用歯車２０がフック取付け部よりも内側に位置することになって、出力用歯車２０が他の物に当たって破損したりするのを防止することができるものである。
【０１３７】
ところで、すでに述べたように、本体ケーシング１の孔７ｅからフック取付け部の構成部材の一つであるスライド枠２６の操作部２６ａを突出させてあるが、操作部２６ａを突出させる孔７ｅが第２の防水部材６による封水位置よりも本体ケーシング１の上端開口寄りにずれた位置に形成してあることで、操作部２６ａを突出させる孔７ｅから本体ケーシング１内に毛や皮脂や水が入っても、この毛や皮脂や水が本体ケーシング１のモータ３を内装した部分には入らないものである。
【０１３８】
また、モータ３や歯車列の組み込みが容易なように基台を複数の基台に分割し、この複数の基台を係止手段により係止すると共にねじ具２１により固着しているが、係止手段による係止位置や固着具２１による固着位置はいずれも第２の防水部材２３による封水位置よりも本体ケーシング１内に位置させてあるので、係止や固着部分からの毛や皮脂や水の侵入防止を考慮する必要がないものであり、これにより分割された基台８の組立固着の構造が容易となるものである。
【０１３９】
次に、他の実施形態につき図１２、図１３に基づいて説明する。図７、図８に示す実施形態では、下半円状嵌め込み部１４ｂの略下半分を突出壁１４ａの先端面よりも下方に位置させて下半円状嵌め込み部１４ｂの略下半分の部分において突出壁１４ａの先端面を露出させ、防水部材６の環状体６ａの下面を立ち上がり部１４ｂに設けた下半円状嵌め込み部１４ｂの上面に押し当てるとともに環状体６ａの上面に垂下壁１５ｄの上半円状嵌め込み部１５ｅの下面を押し当て、更に、突出壁１４ａの先端面のした下半円状嵌め込み部１４ｂに露出した部分を環状体６ａの側面を押し当てるようにして、環状体６ａを上下及び側方から押圧支持して位置保持及び封水を行っている実施形態を示しているが、図１２、図１３に示すように、下半円状嵌め込み部１４ｂの全部を突出壁部１４ａよりも上に位置させて、防水部材６の環状体６ａの下面を立ち上がり部１４ｂに設けた下半円状嵌め込み部１４ｂの上面に押し当てるとともに環状体６ａの上面に垂下壁１５ｄの上半円状嵌め込み部１５ｅの下面を押し当てることで環状体６ａを上下押圧支持して位置保持及び封水を行ってもよいものである。
【０１４０】
また、上記図１２に示す実施形態においては第２の減速歯車である減速歯車１９が軸１９ｃの両側に隙間を介して径の異なる２つの歯車を固着し（つまり大歯車１９ａと小歯車１９ｂとを隙間を介してそれぞれ固着し）、防水部材６の環状体６ａを減速歯車１９の軸１９ｃの大歯車１９ａと小歯車１９ｂとの間の部分に水密的に嵌め込んである。この実施形態においては、図１２に示すように大歯車１９ａと小歯車１９ｂとボス１９ｄを一体に形成した複雑な構造の歯車を使用する必要がなく、簡単な形状の大歯車１９ａと簡単な形状の小歯車１９ｂを用いることができるものである。
【０１４１】
ところで、上記各実施形態では弾性を有する防水部材６を基台とは別体に形成した例を示したが、図１１に示すように、防水部材６を基台と一体化したものであってもよい。図１１に示す実施形態においては歯車カバー基台１４の上端部に防水部材６を一体に形成してある。ここで、一体化するに当たっては防水部材６を基台８である歯車カバー基台１４に接着したものでもよく、あるいは、２色成形により一体成形してもよいものである。
【０１４２】
次に、図１４、図１５に基づいて本発明の更に他の実施形態に基づいて説明する。本実施形態においては、基台がモータ３を内装するモータ内装用基台１２と、モータ３をカバーするためのモータカバー用基台１３と、モータカバー用基台１３の外側方において歯車列をカバーするための歯車カバー基台１４とで構成してあり、上記３つの基台８をねじ具２１により連結固着してある。モータ内装用基台１２のモータカバー用基台１３の取付け側と反対側の上部から上方に突出支持部１２ｄを突出してあり、また、歯車カバー基台１４の上部から上方に突出支持部１４ｉが突出してあり、基台に設けた両突出支持部１２ｄ、１４ｉとで回転シリンダー４の軸４ｂの両端部を軸支してある。本実施形態においては、モータ３、歯車列、回転シリンダー４を基台に簡単に組み込んで内装することができるようになっている。
【０１４３】
この図１４に示す実施形態においては、モータカバー用基台１３に仕切り用突壁１３ｅを設け、この仕切り用突壁１３ｅから上方に向けて立設した縦仕切り部１３ｄと、歯車カバー基台１４から下方に向けて垂設した縦仕切り部１４ｊと、両縦仕切り部１３ｄ、１４ｊの先端間に介在された防水部材６により縦仕切りが構成され、この縦仕切りにより歯車列を内装した空所を仕切ってモータ収納用基台１２の上部の他端部と縦仕切りとに囲まれた部分を開口部４２としてある。仕切りの中央部に位置する防水部材６に設けた環状体６ａを水密的に軸４３が貫通しており、この軸４３の両端部が歯車カバー基台１４とモータ内装用基台１２とに軸支してある。また、軸４３の片側半部は上記開口部４２内を横切るように架設された状態となっている。軸４３には縦仕切りを介して両側にそれぞれ歯車を固着してある。ここで、モータ３側に位置する歯車がモータからの回転が伝達される入力側歯車４４となっており、開口部４２内に位置している歯車が出力用歯車２０となっている。
【０１４４】
出力用歯車２０は回転シリンダー４に設けた歯車４１に噛み合っている。したがって、本実施形態においては出力歯車２０がモータ３の回転を回転シリンダー４に設けた歯車４１に伝達するための歯車列のうちの最終段歯車となるものであり、この最終段歯車の軸部分において防水部材６により封水してあるので、掃除に当たっては回転シリンダー４と歯車列の内の最終段歯車のみを掃除するだけでよくて歯車列の他の歯車を掃除する必要がなく、掃除が簡単に行え、また、水洗いで簡単に毛や皮脂などを洗い落とすことができるものである。
【０１４５】
本実施形態においては回転シリンダー４が本体ケーシング１に対して着脱自在となっていないが、前述の実施形態と同様に回転シリンダー４を備えた脱毛ヘッド２を本体ケーシング１に対して着脱自在としてもよく、この場合においても歯車列の最終歯車の軸又はボス部分で防水部材６により防水するようにしてもよいものである。この場合には、着脱自在な脱毛ヘッド２側においては回転シリンダー４に設けた歯車４１以外には歯車がなく、脱毛ヘッド２を取り外して掃除するのが簡単となるものである。
【０１４６】
また、本実施形態でも防水部材６を分割した基台８の一つと一体形成したものであってもよいものである。
【図面の簡単な説明】
【０１４７】
【図１】本発明の脱毛装置の一実施形態の正面断面図である。
【図２】同上の平面図である。
【図３】同上のモータ部分で断面にした側面断面図である。
【図４】同上の防水部材部分で断面にした側面断面図である。
【図５】同上の本体ケーシング部分の分解斜視図である。
【図６】同上の防水部材を歯車カバー基台とモータカバー用基台と上基台との継ぎ目部分に介在して取付けた状態を示す斜視図である。
【図７】同上の防水部材と歯車カバー基台とを示す分解斜視図である。
【図８】同上の脱毛ヘッドの分解斜視図である。
【図９】同上の回転シリンダー部分の分解斜視図である。
【図１０】同上の本体ケーシングから脱毛ヘッドを外した状態の正面断面図である。
【図１１】同上の防水部材を歯車カバー基台に一体化した斜視図である。
【図１２】本発明の他の実施形態の正面断面図である。
【図１３】同上の防水部材を歯車カバー基台とを示す分解斜視図である。
【図１４】本発明の更に他の実施形態を示す正面断面図である。
【図１５】同上の平面図である。
【図１６】従来例の正面断面図である。
【図１７】従来例の側面断面図である。
【符号の説明】
【０１４８】
１  本体ケーシング
２  脱毛ヘッド
３  モータ
４  回転シリンダー
５  爪
６  防水部材
８  基台
【図１】
2006320756.tif 000003
【図２】
2006320756.tif 000004
【図３】
2006320756.tif 000005
【図４】
2006320756.tif 000006
【図５】
2006320756.tif 000007
【図６】
2006320756.tif 000008
【図７】
2006320756.tif 000009
【図８】
2006320756.tif 000010
【図９】
2006320756.tif 000011
【図１０】
2006320756.tif 000012
【図１１】
2006320756.tif 000013
【図１２】
2006320756.tif 000014
【図１３】
2006320756.tif 000015
【図１４】
2006320756.tif 000016
【図１５】
2006320756.tif 000017
【図１６】
2006320756.tif 000018
【図１７】
2006320756.tif 000019